(57)【要約】  実施形態に係る通信方法では、ネットワークからＲａｄｉｏ  Ｒｅｓｏｕｒｃｅ  Ｃｏｎｔｒｏｌ（ＲＲＣ）接続状態であるユーザ端末へ、前記ユーザ端末のコンテキスト情報を前記ユーザ端末に保持させるための第１の情報を送る。前記コンテキスト情報は、前記ユーザ端末に割り当てられたＣｅｌｌ−Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）を含む。前記ユーザ端末は、前記第１の情報に基づいて、前記ＲＲＣ接続状態から移行した場合であっても、前記コンテキスト情報を破棄せずに保持する。
2017131046.tif 000002
【特許請求の範囲】
【請求項１】
通信方法であって、
ネットワークからＲａｄｉｏ  Ｒｅｓｏｕｒｃｅ  Ｃｏｎｔｒｏｌ（ＲＲＣ）接続状態であるユーザ端末へ、前記ユーザ端末のコンテキスト情報を前記ユーザ端末に保持させるための第１の情報を送り、
前記コンテキスト情報は、前記ユーザ端末に割り当てられたＣｅｌｌ−Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）を含み、
前記ユーザ端末は、前記第１の情報に基づいて、前記ＲＲＣ接続状態から移行した場合であっても、前記コンテキスト情報を破棄せずに保持する通信方法。
【請求項２】
前記ユーザ端末が、前記コンテキスト情報の利用を促すための所定情報を、ランダムアクセス手順におけるメッセージ３に含め、
前記ユーザ端末から前記ネットワークへ前記メッセージ３を送る請求項１に記載の通信方法。
【請求項３】
前記ユーザ端末から前記ネットワークへ、前記ＲＲＣ接続状態から移行した場合であっても、前記コンテキスト情報を破棄せずに保持する動作を前記ユーザ端末がサポートしていることを示す情報を送る請求項１に記載の通信方法。
【請求項４】
前記ネットワークを構成する基地局が、前記ネットワークとのＲＲＣ接続を確立する際のコンテキスト情報の利用をサポートしているか否かを示す情報を自セル内で送信する請求項１に記載の通信方法。
【請求項５】
前記ユーザ端末は、前記情報に基づいて、前記コンテキスト情報の利用を促すための所定情報を前記ネットワークへ送る請求項４に記載の通信方法。
【請求項６】
前記ユーザ端末から前記ネットワークへ、前記コンテキスト情報の利用を促すための所定情報を送り、
前記ネットワークは、前記ユーザ端末における前記ＲＲＣ接続を再開するか否かを判断する請求項１に記載の通信方法。
【請求項７】
前記ユーザ端末が前記ＲＲＣ接続状態から移行した後であっても、前記ネットワークを構成する基地局及びＭｏｂｉｌｉｔｙ  Ｍａｎａｇｅｍｅｎｔ  Ｅｎｔｉｔｙ（ＭＭＥ）との間の接続が保持される請求項１に記載の通信方法。
【請求項８】
前記ユーザ端末が前記ＲＲＣ接続状態から移行した後において、前記ネットワークを構成する基地局が、前記ユーザ端末へ送信すべきユーザデータを受信したことに応じて、前記基地局から前記ユーザ端末へ、ページングメッセージを送る請求項１に記載の通信方法。
【請求項９】
無線端末であって、
ＲＲＣアイドル状態とＲＲＣ接続状態との間でＲＲＣ状態を移行するコントローラを備え、
前記コントローラは、前記ＲＲＣ接続状態において基地局とのユーザデータの通信が終了した後、前記ＲＲＣ接続状態から前記ＲＲＣアイドル状態と異なる他のＲＲＣ状態へ移行する制御を実行し、
前記他のＲＲＣ状態は、前記無線端末のコンテキスト情報が前記基地局に記憶されている状態で、かつ、前記ＲＲＣ接続状態よりも前記無線端末と前記基地局との間で所定の無線信号の送信が制限又は免除される状態である無線端末。
【請求項１０】
前記コントローラは、
前記ユーザデータの通信が終了した場合に、タイマを起動し、
前記タイマが満了した場合に、前記他のＲＲＣ状態へ移行する制御を実行する請求項９に記載の無線端末。
【請求項１１】
前記コントローラは、前記他のＲＲＣ状態において、前記無線端末が前記ＲＲＣ接続状態である場合よりも、前記所定の無線信号の送信頻度を低減する制御を実行し、
前記所定の無線信号は、サウンディング参照信号及びチャネル状態情報を前記基地局へ報告するための無線信号の少なくとも一方である請求項９に記載の無線端末。
【請求項１２】
前記コントローラは、
前記基地局へ最後のユーザデータを送信した場合には、ＵＬタイマを起動し、
前記ＵＬタイマが満了した場合には、前記他のＲＲＣ状態へ移行した後、前記サウンディング参照信号の送信頻度を低減する制御を実行し、
前記基地局から最後のユーザデータを受信した場合には、ＤＬタイマを起動し、
前記ＤＬタイマが満了した場合に、前記他のＲＲＣ状態へ移行した後、チャネル状態情報を前記基地局へ報告するための無線信号の送信頻度を低減する制御を実行する請求項９に記載の無線端末。
【請求項１３】
前記コントローラは、
前記ユーザデータの通信が終了した後、第１タイマ及び第２タイマを起動し、
前記第１タイマが満了した場合に、前記所定の無線信号の送信頻度を低減する制御を実行し、
前記第２タイマが満了した場合に、前記所定の無線信号の送信を停止する制御を実行する請求項９に記載の無線端末。
【請求項１４】
前記基地局が前記コンテキスト情報を破棄せずに保持することを前記無線端末に知らせるための情報を前記基地局から受信するレシーバをさらに備え、
前記コントローラは、前記情報に基づいて、前記他のＲＲＣ状態へ移行する制御を実行する請求項９に記載の無線端末。
【請求項１５】
前記コントローラは、前記他のＲＲＣ状態において、無線信号の測定報告を前記基地局へ送信することを省略する制御を実行する請求項９に記載の無線端末。
【請求項１６】
前記コントローラは、前記無線端末がセル再選択を実行することを前記基地局へ知らせるための情報を前記基地局へ送信する制御を実行する請求項９に記載の無線端末。
【請求項１７】
前記コントローラは、前記他のＲＲＣ状態において、セル再選択を実行した場合、再選択したセルを識別するための情報を前記基地局へ送信する制御を実行する請求項９に記載の無線端末。
【請求項１８】
前記コントローラは、
前記第３の状態において、又は、前記第３の状態から前記ＲＲＣアイドル状態へ移行した後、セル再選択を実行し、
再選択したセルにおいて前記ユーザデータの通信を新たに開始する場合に、前記コンテキスト情報の利用を促すための情報を前記再選択したセルへ送信する制御を実行する請求項９に記載の無線端末。
【請求項１９】
前記再選択したセルにおいて前記コンテキスト情報を利用できるか否かを判断するための情報を前記再選択したセルから受信するレシーバをさらに備え、
前記コントローラは、前記再選択したセルにおいて前記コンテキスト情報を利用できる場合にのみ、前記コンテキスト情報の利用を促すための情報を前記再選択したセルへ送信する制御を実行する請求項１８に記載の無線端末。
【請求項２０】
基地局であって、
ＲＲＣアイドル状態とＲＲＣ接続状態との間でＲＲＣ状態を移行する無線端末とのユーザデータの通信を制御するコントローラを備え、
前記コントローラは、前記ユーザデータの通信が終了した後、前記無線端末が、前記ＲＲＣ接続状態から前記ＲＲＣアイドル状態と異なる他のＲＲＣ状態へ移行した場合、前記無線端末のコンテキスト情報を破棄せずに記憶し続け、
前記他のＲＲＣ状態は、前記コンテキスト情報が前記基地局に記憶されている状態で、かつ、前記ＲＲＣ接続状態よりも前記無線端末と前記基地局との間で所定の無線信号の送信が制限又は免除される状態である基地局。
【請求項２１】
前記コントローラは、前記無線端末が前記ＲＲＣ接続状態から前記他のＲＲＣ状態へ移行したか否かを判断するためのタイマを有する請求項２０に記載の基地局。
【請求項２２】
前記コントローラは、前記基地局が前記コンテキスト情報を破棄せずに保持することを前記無線端末に知らせるための情報を前記無線端末へ送信するトランスミッタをさらに備える請求項２０に記載の基地局。
【請求項２３】
前記所定の無線信号は、サウンディング参照信号及びチャネル状態情報を前記基地局へ報告するための無線信号の少なくとも一方である請求項２０に記載の基地局。
【請求項２４】
前記無線端末がセル再選択を実行することを前記基地局へ知らせるための情報を前記無線端末から受信するレシーバをさらに備え、
前記コントローラは、前記無線端末に対するハンドオーバ手順を中止する請求項２０に記載の基地局。
【請求項２５】
前記無線端末が再選択したセルを識別するための情報を、前記第３の状態である前記無線端末から受信するレシーバをさらに備え、
前記コントローラは、前記情報に基づいて、前記再選択したセルを管理する他の基地局へ前記無線端末の前記コンテキスト情報を送る制御を実行する請求項２０に記載の基地局。
【請求項２６】
前記コントローラは、前記他の基地局が前記コンテキスト情報の保持を拒否した場合、前記無線端末を前記再選択したセルへハンドオーバさせるためのハンドオーバ手順を実行する請求項２５に記載の基地局。
【請求項２７】
基地局であって、
他の基地局においてＲＲＣアイドル状態又は他のＲＲＣ状態である無線端末のコンテキスト情報を前記他の基地局から受信する制御を実行するコントローラと、
前記セルへの接続を要求するための接続要求を前記無線端末から受信するレシーバと、を備え、
前記コントローラは、前記コンテキスト情報に基づいて、前記無線端末の前記セルへの接続を制御し、
前記第３の状態は、前記コンテキスト情報が前記基地局に記憶されている状態で、かつ、前記ＲＲＣ接続状態よりも前記無線端末と前記基地局との間で所定の無線信号の送信が制限又は免除される状態である基地局。
【請求項２８】
前記レシーバは、前記コンテキスト情報の利用を促すための情報を前記無線端末から受信し、
前記コントローラは、前記情報を受信した場合に、前記コンテキスト情報に基づいて、前記無線端末の前記セルへの接続を制御する請求項２７に記載の基地局。
【請求項２９】
前記コントローラは、前記コンテキスト情報の保持を拒否する場合、前記コンテキスト情報の保持を拒否するための応答を前記他の基地局へ送る制御を実行する請求項２７に記載の基地局。
【請求項３０】
前記基地局が管理するセルにおいて前記コンテキスト情報を利用できるか否かを判断するための情報を送信するトランスミッタをさらに備える請求項２７に記載の基地局。
【発明の詳細な説明】
【技術分野】
【０００１】
本出願は、通信方法、通信システムにおいて用いられる無線端末及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、急増するトラフィック需要に応えるべく、ＬＴＥ（Ｌｏｎｇ  Ｔｅｒｍ  Ｅｖｏｌｕｔｉｏｎ）を高度化する仕様策定が進められている（例えば非特許文献１参照）。【０００３】
ＬＴＥでは、無線端末のＲＲＣ（Ｒａｄｉｏ  Ｒｅｓｏｕｒｃｅ  Ｃｏｎｔｒｏｌ）状態として、ＲＲＣアイドル状態（ＲＲＣ  ＩＤＬＥ  ｓｔａｔｅ）とＲＲＣ接続状態（ＲＲＣ  ＣＯＮＮＥＣＴＥＤ  ｓｔａｔｅ）とが規定されている。無線端末は、ＲＲＣアイドル状態とＲＲＣ接続状態との間でＲＲＣ状態を移行する。
【先行技術文献】
【非特許文献】
【０００４】
【非特許文献１】３ＧＰＰ技術仕様書「ＴＳ３６．３００  Ｖ１３．１．０」  ２０１５年９月２４日
【発明の概要】
【０００５】
一の実施形態に係る通信方法では、ネットワークからＲａｄｉｏ  Ｒｅｓｏｕｒｃｅ  Ｃｏｎｔｒｏｌ（ＲＲＣ）接続状態であるユーザ端末へ、前記ユーザ端末のコンテキスト情報を前記ユーザ端末に保持させるための第１の情報を送る。前記コンテキスト情報は、前記ユーザ端末に割り当てられたＣｅｌｌ−Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）を含む。前記ユーザ端末は、前記第１の情報に基づいて、前記ＲＲＣ接続状態から移行した場合であっても、前記コンテキスト情報を破棄せずに保持する。
【０００６】
一の実施形態に係る無線端末は、ＲＲＣアイドル状態とＲＲＣ接続状態との間でＲＲＣ状態を移行するコントローラを備える。前記コントローラは、前記ＲＲＣ接続状態において基地局とのユーザデータの通信が終了した後、前記ＲＲＣ接続状態から前記ＲＲＣアイドル状態と異なる他のＲＲＣ状態へ移行する制御を実行する。前記他のＲＲＣ状態は、前記無線端末のコンテキスト情報が前記基地局に記憶されている状態で、かつ、前記ＲＲＣ接続状態よりも前記無線端末と前記基地局との間で所定の無線信号の送信が制限又は免除される状態である。
【０００７】
一の実施形態に係る基地局は、ＲＲＣアイドル状態とＲＲＣ接続状態との間でＲＲＣ状態を移行する無線端末とのユーザデータの通信を制御するコントローラを備える。前記コントローラは、前記ユーザデータの通信が終了した後、前記無線端末が、前記ＲＲＣ接続状態から前記ＲＲＣアイドル状態と異なる他のＲＲＣ状態へ移行した場合、前記無線端末のコンテキスト情報を破棄せずに記憶し続ける。前記他のＲＲＣ状態は、前記コンテキスト情報が前記基地局に記憶されている状態で、かつ、前記ＲＲＣ接続状態よりも前記無線端末と前記基地局との間で所定の無線信号の送信が制限又は免除される状態である。
【０００８】
一の実施形態に係る基地局は、他の基地局においてＲＲＣアイドル状態又は他のＲＲＣ状態である無線端末のコンテキスト情報を前記他の基地局から受信する制御を実行するコントローラと、前記セルへの接続を要求するための接続要求を前記無線端末から受信するレシーバと、を備える。前記コントローラは、前記コンテキスト情報に基づいて、前記無線端末の前記セルへの接続を制御する。前記第３の状態は、前記コンテキスト情報が前記基地局に記憶されている状態で、かつ、前記ＲＲＣ接続状態よりも前記無線端末と前記基地局との間で所定の無線信号の送信が制限又は免除される状態である。
【図面の簡単な説明】
【０００９】
【図１】図１は、ＬＴＥシステムの構成を示す図である。
【図２】図２は、ＬＴＥシステムにおける無線インターフェイスのプロトコルスタック図である。
【図３】図３は、ＬＴＥシステムで使用される無線フレームの構成図である。
【図４】図４は、ＵＥ１００のブロック図である。
【図５】図５は、ｅＮＢ２００のブロック図である。
【図６】図６は、第１実施形態に係る動作を説明するためのシーケンス図である。
【図７】図７は、第１実施形態に係る変更例１を説明するためのシーケンス図である。
【図８】図８は、第２実施形態に係る動作を説明するためのシーケンス図である。
【図９】図９は、第２実施形態に係る変更例を説明するためのシーケンス図である。
【図１０】図１０は、第３実施形態に係る動作を説明するためのシーケンス図である。
【図１１】図１１は、第３のタイマを説明するためのフローチャートである。
【発明を実施するための形態】
【００１０】
［実施形態の概要］
実施形態に係る通信方法では、ネットワークからＲａｄｉｏ  Ｒｅｓｏｕｒｃｅ  Ｃｏｎｔｒｏｌ（ＲＲＣ）接続状態であるユーザ端末へ、前記ユーザ端末のコンテキスト情報を前記ユーザ端末に保持させるための第１の情報を送る。前記コンテキスト情報は、前記ユーザ端末に割り当てられたＣｅｌｌ−Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）を含む。前記ユーザ端末は、前記第１の情報に基づいて、前記ＲＲＣ接続状態から移行した場合であっても、前記コンテキスト情報を破棄せずに保持する。
【００１１】
前記ユーザ端末が、前記コンテキスト情報の利用を促すための所定情報を、ランダムアクセス手順におけるメッセージ３に含めてもよい。前記ユーザ端末から前記ネットワークへ前記メッセージ３を送ってもよい。
【００１２】
前記ユーザ端末から前記ネットワークへ、前記ＲＲＣ接続状態から移行した場合であっても、前記コンテキスト情報を破棄せずに保持する動作を前記ユーザ端末がサポートしていることを示す情報を送ってもよい。
【００１３】
前記ネットワークを構成する基地局が、前記ネットワークとのＲＲＣ接続を確立する際のコンテキスト情報の利用をサポートしているか否かを示す情報を自セル内で送信してもよい。
【００１４】
前記ユーザ端末は、前記情報に基づいて、前記コンテキスト情報の利用を促すための所定情報を前記ネットワークへ送ってもよい。
【００１５】
前記ユーザ端末から前記ネットワークへ、前記コンテキスト情報の利用を促すための所定情報を送ってもよい。前記ネットワークは、前記ユーザ端末における前記ＲＲＣ接続を再開するか否かを判断してもよい。
【００１６】
前記ユーザ端末が前記ＲＲＣ接続状態から移行した後であっても、前記ネットワークを構成する基地局及びＭｏｂｉｌｉｔｙ  Ｍａｎａｇｅｍｅｎｔ  Ｅｎｔｉｔｙ（ＭＭＥ）との間の接続が保持されてもよい。
【００１７】
前記ユーザ端末が前記ＲＲＣ接続状態から移行した後において、前記ネットワークを構成する基地局が、前記ユーザ端末へ送信すべきユーザデータを受信したことに応じて、前記基地局から前記ユーザ端末へ、ページングメッセージを送ってもよい。
【００１８】
無線端末がＲＲＣアイドル状態からＲＲＣ接続状態へＲＲＣ状態を移行する場合におけるシグナリングの数を減らすために、無線端末がＲＲＣ接続状態を可能な限り維持するための方法が検討されている。
【００１９】
しかしながら、ＲＲＣ接続状態において、通信すべきユーザデータが存在しない場合であっても、無線端末と基地局との間で所定の無線信号（例えば、サウンディング参照信号（ＳＲＳ：Ｓｏｕｎｄｉｎｇ  Ｒｅｆｅｒｅｎｃｅ  Ｓｉｇｎａｌ）等）が送信されている。
【００２０】
実施形態に係る無線端末は、ＲＲＣアイドル状態とＲＲＣ接続状態との間でＲＲＣ状態を移行するコントローラを備える。前記コントローラは、前記ＲＲＣ接続状態において基地局とのユーザデータの通信が終了した後、前記ＲＲＣ接続状態から前記ＲＲＣアイドル状態と異なる他のＲＲＣ状態へ移行する制御を実行する。前記他のＲＲＣ状態は、前記無線端末のコンテキスト情報が前記基地局に記憶されている状態で、かつ、前記ＲＲＣ接続状態よりも前記無線端末と前記基地局との間で所定の無線信号の送信が制限又は免除される状態である。
【００２１】
前記コントローラは、前記ユーザデータの通信が終了した場合に、タイマを起動してもよい。前記コントローラは、前記タイマが満了した場合に、前記他のＲＲＣ状態へ移行する制御を実行してもよい。
【００２２】
前記コントローラは、前記他のＲＲＣ状態において、前記無線端末が前記ＲＲＣ接続状態である場合よりも、前記所定の無線信号の送信頻度を低減する制御を実行してもよい。前記所定の無線信号は、サウンディング参照信号及びチャネル状態情報を前記基地局へ報告するための無線信号の少なくとも一方であってもよい。
【００２３】
前記コントローラは、前記基地局へ最後のユーザデータを送信した場合には、ＵＬタイマを起動してもよい。前記コントローラは、前記ＵＬタイマが満了した場合には、前記他のＲＲＣ状態へ移行した後、前記サウンディング参照信号の送信頻度を低減する制御を実行してもよい。前記コントローラは、前記基地局から最後のユーザデータを受信した場合には、ＤＬタイマを起動してもよい。前記コントローラは、前記ＤＬタイマが満了した場合に、前記他のＲＲＣ状態へ移行した後、チャネル状態情報を前記基地局へ報告するための無線信号の送信頻度を低減する制御を実行してもよい。
【００２４】
前記コントローラは、前記ユーザデータの通信が終了した後、第１タイマ及び第２タイマを起動してもよい。前記コントローラは、前記第１タイマが満了した場合に、前記所定の無線信号の送信頻度を低減する制御を実行してもよい。前記コントローラは、前記第２タイマが満了した場合に、前記所定の無線信号の送信を停止する制御を実行してもよい。
【００２５】
前記無線端末は、前記基地局が前記コンテキスト情報を破棄せずに保持することを前記無線端末に知らせるための情報を前記基地局から受信するレシーバをさらに備えてもよい。前記コントローラは、前記情報に基づいて、前記他のＲＲＣ状態へ移行する制御を実行してもよい。
【００２６】
前記コントローラは、前記他のＲＲＣ状態において、無線信号の測定報告を前記基地局へ送信することを省略する制御を実行してもよい。
【００２７】
前記コントローラは、前記無線端末がセル再選択を実行することを前記基地局へ知らせるための情報を前記基地局へ送信する制御を実行してもよい。
【００２８】
前記コントローラは、前記他のＲＲＣ状態において、セル再選択を実行した場合、再選択したセルを識別するための情報を前記基地局へ送信する制御を実行してもよい。
【００２９】
前記コントローラは、前記第３の状態において、又は、前記第３の状態から前記ＲＲＣアイドル状態へ移行した後、セル再選択を実行してもよい。前記コントローラは、再選択したセルにおいて前記ユーザデータの通信を新たに開始する場合に、前記コンテキスト情報の利用を促すための情報を前記再選択したセルへ送信する制御を実行してもよい。
【００３０】
前記無線端末は、前記再選択したセルにおいて前記コンテキスト情報を利用できるか否かを判断するための情報を前記再選択したセルから受信するレシーバをさらに備えてもよい。前記コントローラは、前記再選択したセルにおいて前記コンテキスト情報を利用できる場合にのみ、前記コンテキスト情報の利用を促すための情報を前記再選択したセルへ送信する制御を実行してもよい。
【００３１】
実施形態に係る基地局は、ＲＲＣアイドル状態とＲＲＣ接続状態との間でＲＲＣ状態を移行する無線端末とのユーザデータの通信を制御するコントローラを備える。前記コントローラは、前記ユーザデータの通信が終了した後、前記無線端末が、前記ＲＲＣ接続状態から前記ＲＲＣアイドル状態と異なる他のＲＲＣ状態へ移行した場合、前記無線端末のコンテキスト情報を破棄せずに記憶し続ける。前記他のＲＲＣ状態は、前記コンテキスト情報が前記基地局に記憶されている状態で、かつ、前記ＲＲＣ接続状態よりも前記無線端末と前記基地局との間で所定の無線信号の送信が制限又は免除される状態である。
【００３２】
前記コントローラは、前記無線端末が前記ＲＲＣ接続状態から前記他のＲＲＣ状態へ移行したか否かを判断するためのタイマを有してもよい。
【００３３】
前記基地局は、前記コントローラは、前記基地局が前記コンテキスト情報を破棄せずに保持することを前記無線端末に知らせるための情報を前記無線端末へ送信するトランスミッタをさらに備えてもよい。
【００３４】
前記所定の無線信号は、サウンディング参照信号及びチャネル状態情報を前記基地局へ報告するための無線信号の少なくとも一方であってもよい。
【００３５】
前記基地局は、前記無線端末がセル再選択を実行することを前記基地局へ知らせるための情報を前記無線端末から受信するレシーバをさらに備えてもよい。前記コントローラは、前記無線端末に対するハンドオーバ手順を中止してもよい。
【００３６】
前記基地局は、前記無線端末が再選択したセルを識別するための情報を、前記第３の状態である前記無線端末から受信するレシーバをさらに備えてもよい。前記コントローラは、前記情報に基づいて、前記再選択したセルを管理する他の基地局へ前記無線端末の前記コンテキスト情報を送る制御を実行してもよい。
【００３７】
前記コントローラは、前記他の基地局が前記コンテキスト情報の保持を拒否した場合、前記無線端末を前記再選択したセルへハンドオーバさせるためのハンドオーバ手順を実行してもよい。
【００３８】
実施形態に係る基地局は、他の基地局においてＲＲＣアイドル状態又は他のＲＲＣ状態である無線端末のコンテキスト情報を前記他の基地局から受信する制御を実行するコントローラと、前記セルへの接続を要求するための接続要求を前記無線端末から受信するレシーバと、を備える。前記コントローラは、前記コンテキスト情報に基づいて、前記無線端末の前記セルへの接続を制御する。前記第３の状態は、前記コンテキスト情報が前記基地局に記憶されている状態で、かつ、前記ＲＲＣ接続状態よりも前記無線端末と前記基地局との間で所定の無線信号の送信が制限又は免除される状態である。
【００３９】
前記レシーバは、前記コンテキスト情報の利用を促すための情報を前記無線端末から受信してもよい。前記コントローラは、前記情報を受信した場合に、前記コンテキスト情報に基づいて、前記無線端末の前記セルへの接続を制御してもよい。
【００４０】
前記コントローラは、前記コンテキスト情報の保持を拒否する場合、前記コンテキスト情報の保持を拒否するための応答を前記他の基地局へ送る制御を実行してもよい。
【００４１】
前記基地局が管理するセルにおいて前記コンテキスト情報を利用できるか否かを判断するための情報を送信するトランスミッタをさらに備えてもよい。
【００４２】
［第１実施形態］
（移動通信システム）
以下において、実施形態に係る移動通信システムであるＬＴＥシステムについて説明する。図１は、ＬＴＥシステムの構成を示す図である。
【００４３】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００４４】
ＵＥ１００は、無線端末に相当する。ＵＥ１００は、移動型の通信装置である。ＵＥ１００は、セル（サービングセル）との無線通信を行う。ＵＥ１００の構成については後述する。
【００４５】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００４６】
ｅＮＢ２００は、１又は複数のセルを管理する。ｅＮＢ２００は、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される。「セル」は、ＵＥ１００との無線通信を行う機能を示す用語としても使用される。
【００４７】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００４８】
図２は、ＬＴＥシステムにおける無線インターフェイスのプロトコルスタック図である。図２に示すように、無線インターフェイスプロトコルは、ＯＳＩ（Ｏｐｅｎ  Ｓｙｓｔｅｍｓ  Ｉｎｔｅｒｃｏｎｎｅｃｔｉｏｎ）参照モデルの第１層乃至第３層に区分されている。第１層は、物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４９】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００５０】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００５１】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００５２】
ＰＤＣＰ層は、ヘッダ圧縮・伸張、及び暗号化・復号化を行う。
【００５３】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態（コネクティッド状態）である。ＵＥ１００のＲＲＣとｅＮＢ２００のＲＲＣとの間に接続（ＲＲＣ接続）がない場合、ＵＥ１００はＲＲＣアイドル状態（アイドル状態）である。
【００５４】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００５５】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５６】
図３に示すように、無線フレームは、時間方向に並ぶ１０個のサブフレームで構成される。各サブフレームは、時間方向に並ぶ２個のスロットで構成される。各サブフレームの長さは１ｍｓである。各スロットの長さは、０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。ＵＥ１００に割り当てられる無線リソース（時間・周波数リソース）のうち、周波数リソースはリソースブロックにより特定でき、時間リソースはサブフレーム（又はスロット）により特定できる。
【００５７】
下りリンクにおいて、各サブフレームの先頭数シンボルの区間は、主に下りリンク制御信号を伝送するための物理下りリンク制御チャネル（ＰＤＣＣＨ）として使用される領域である。各サブフレームの残りの部分は、主に下りリンクデータを伝送するための物理下りリンク共有チャネル（ＰＤＳＣＨ）として使用できる領域である。
【００５８】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００５９】
ＰＵＣＣＨは、制御信号を搬送する。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。ＣＱＩは、下りリンクのチャネル品質を示す情報であり、下りリンク伝送に使用すべき推奨変調方式及び符号化速度の決定等に使用される。ＰＭＩは、下りリンクの伝送の為に使用することが望ましいプリコーダマトリックスを示す情報である。ＲＩは、下りリンクの伝送に使用可能なレイヤ数（ストリーム数）を示す情報である。ＳＲは、上りリンク無線リソース（リソースブロック）の割当てを要求する情報である。ＡＣＫ／ＮＡＣＫは、下りリンクの物理チャネル（例えば、ＰＤＳＣＨ）を介して送信される信号の復号に成功したか否かを示す情報である。
【００６０】
（無線端末）
以下において、実施形態に係るＵＥ１００（無線端末）について説明する。図４は、ＵＥ１００のブロック図である。図４に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。
【００６１】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換してコントローラ１３０に出力する。
【００６２】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換してアンテナから送信する。
【００６３】
コントローラ１３０は、ＵＥ１００における各種の制御を行う。コントローラ１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００６４】
ＵＥ１００は、ＧＮＳＳ（Ｇｌｏｂａｌ  Ｎａｖｉｇａｔｉｏｎ  Ｓａｔｅｌｌｉｔｅ  Ｓｙｓｔｅｍ）受信機を備えていてもよい。ＧＮＳＳ受信機は、ＵＥ１００の地理的な位置を示す位置情報を得るために、ＧＮＳＳ信号を受信して、受信した信号をコントローラ１３０に出力する。或いは、ＵＥ１００は、ＵＥ１００の位置情報を取得するためのＧＰＳ機能を有していてもよい。
【００６５】
以下で説明するＵＥ１００が実行する処理（動作）について、ＵＥ１００が備えるレシーバ１１０、トランスミッタ１２０、コントローラ１３０の少なくともいずれかが実行するが、便宜上、ＵＥ１００が実行する処理として説明する。
【００６６】
（基地局）
以下において、実施形態に係るｅＮＢ２００（基地局）について説明する。図５は、ｅＮＢ２００のブロック図である。図５に示すように、ｅＮＢ２００は、レシーバ（受信部）２１０、トランスミッタ（送信部）２２０、コントローラ（制御部）２３０、及びネットワークインターフェイス２４０を備える。トランスミッタ２１０とレシーバ２２０は、一体化されたトランシーバ（送受信部）であってもよい。
【００６７】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換してコントローラ２３０に出力する。
【００６８】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換してアンテナから送信する。
【００６９】
コントローラ２３０は、ｅＮＢ２００における各種の制御を行う。コントローラ２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００７０】
ネットワークインターフェイス２４０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２４０は、Ｘ２インターフェイス上で行う通信及びＳ１インターフェイス上で行う通信等に使用される。
【００７１】
以下で説明するｅＮＢ２００が実行する処理（動作）について、ｅＮＢ２００が備えるトランスミッタ２１０、レシーバ２２０、コントローラ２３０、ネットワークインターフェイス２４０の少なくともいずれかが実行するが、便宜上、ｅＮＢ２００が実行する処理として説明する。
【００７２】
（ＲＲＣ状態）
次に、ＲＲＣ状態について説明する。本実施形態では、ＲＲＣ状態は、ＲＲＣアイドル状態（第１のＲＲＣ状態）及びＲＲＣ接続状態（第２のＲＲＣ状態）だけでなく、第３のＲＲＣ状態を含む。以下において、第３のＲＲＣ接続状態をＲＲＣ半接続状態（ＲＲＣ  Ｓｅｍｉ−ＣＯＮＮＥＣＴＥＤ  ｓｔａｔｅ）と称する。第３のＲＲＣ接続状態は、ＲＲＣ半アイドル状態（ＲＲＣ  Ｓｅｍｉ−ＩＤＬＥ  ｓｔａｔｅ）と称されてもよい。ＲＲＣ半接続状態は、ＲＲＣアイドル状態及びＲＲＣ接続状態と異なる状態である。
【００７３】
（Ａ）ＲＲＣアイドル状態
ＲＲＣアイドル状態（ＲＲＣ  ＩＤＬＥ  ｓｔａｔｅ）は、ＵＥ１００とｅＮＢ２００との間でＲＲＣ接続が確立されていない状態である。すなわち、ＵＥ１００は、ＲＲＣ接続（Ｅ−ＵＴＲＡＮ−ＲＲＣ接続）を有さない。ＲＲＣアイドル状態では、以下の制御（動作）が実行される。
【００７４】
ＲＲＣアイドル状態では、ＲＲＣコンテキストがｅＮＢ２００において記憶されない。Ｅ−ＵＴＲＡＮ１０は、ＵＥ１００が属するセルを知らない。ＲＲＣコンテキストは、ＵＥ１００のコンテキスト情報（の少なくとも一部）である。ＵＥ１００は、Ｅ−ＵＴＲＡＮ１０におけるコンテキスト（少なくとも、ＵＥ固有の個別設定情報及びＵＥ１００に割り当てられる一時識別子（Ｃ−ＲＮＴＩ：Ｃｅｌｌ−Ｒａｄｉｏ  Ｎｅｔｗｏｒｋ  Ｔｅｍｐｏｒａｒｙ  Ｉｄｅｎｔｉｆｉｅｒ））を有さない。
【００７５】
ＵＥ１００とｅＮＢ２００との間でユーザデータの通信が実行されない。ＵＥ１００は、スケジューリング要求（ＳＲ）及びバッファ状態報告（ＢＳＲ）をｅＮＢ２００へ送信できない。
【００７６】
ＵＥ１００は、ＵＥ１００とｅＮＢ２００との間のチャネル（特に、上りチャネル）推定のために用いられるサウンディング参照信号（ＳＲＳ）をｅＮＢ２００へ送信できない。ＵＥ１００は、チャネル状態情報（ＣＳＩ：Ｃｈａｎｎｅｌ  Ｓｔａｔｅ  Ｉｎｆｏｒｍａｔｉｏｎ）をｅＮＢ２００へ報告するための無線信号（ＣＳＩフィードバック）をｅＮＢ２００へ送信できない。
【００７７】
ＵＥ１００は、ＰＬＭＮ（Ｐｕｂｌｉｃ  Ｌａｎｄ  Ｍｏｂｉｌｅ  Ｎｅｔｗｏｒｋ）選択を実行する。ＵＥ１００は、セル再選択動作（Ｃｅｌｌ  ｒｅ−ｓｅｌｅｃｔｉｏｎ  ｍｏｂｉｌｉｔｙ）を実行する。
【００７８】
ＲＲＣアイドル状態では、ハンドオーバ手順が実行されない。従って、ＵＥ１００は、無線信号の測定報告をｅＮＢ２００へ送信できない。ＵＥ１００は、他のセルへハンドオーバするためのハンドオーバコマンドをｅＮＢ２００から受信できない。
【００７９】
ＵＥ１００には、ＮＡＳ（Ｎｏｎ−Ａｃｃｅｓｓ  Ｓｔｒａｔｕｍ）により不連続受信動作のためのＤＲＸ（Ｄｉｓｃｏｎｔｉｎｕｏｕｓ  Ｒｅｃｅｐｔｉｏｎ）（又は拡張ＤＲＸ）が設定できる。ＲＲＣアイドル状態であるＵＥ１００には、ＲＲＣアイドル状態におけるＤＲＸ（又は拡張ＤＲＸ）が適用できる。この場合、ＵＥ１００は、ページングメッセージを不連続に受信（モニタ）する。
【００８０】
ＵＥ１００は、キャリア・アグリゲーション（ＣＡ）を実行できない。ＵＥ１００は、デュアル・コネクティビティ（ＤＣ）を実行できない。ＵＥ１００は、ＷＬＡＮアグリゲーションを実行できない。
【００８１】
ＵＥ１００は、Ｅ−ＵＴＲＡＮ１０とＷＬＡＮとの間でトラフィック・ステアリング（及びネットワークセレクション）を実行できる。トラフィック・ステアリング（及びネットワークセレクション）は、ＡＰＮ（Ａｃｃｅｓｓ  Ｐｏｉｎｔ  Ｎａｍｅ）単位で行われる。ＵＥ１００は、補助情報（ＲＡＮ  ａｓｓｉｓｔａｎｃｅ  ｐａｒａｍｅｔｅｒｓ）に基づいて、トラフィック・ステアリングを実行する。ＲＲＣアイドル状態であるＵＥ１００は、ＲＲＣ接続状態において個別シグナリングを介して取得した補助情報を、他のセルを選択（再選択）するまで適用する。ＲＲＣアイドル状態であるＵＥ１００は、他のセルを選択（再選択）した場合、当該他のセルからブロードキャストシグナリング（例えば、システム情報ブロック（ＳＩＢ：Ｓｙｓｔｅｍ  Ｉｎｆｏｒｍａｔｉｏｎ  Ｂｌｏｃｋ））により取得した補助情報を適用する。
【００８２】
ｅＮＢ２００は、ＵＥ１００に対して、半持続的に無線リソースを割り当てるセミパーシステントスケジューリング（ＳＰＳ）を実行できない。
【００８３】
ＵＥ１００は、無線リンクモニタ（ＲＬＭ）を実行しない。ＵＥ１００は、無線リンク障害のモニタを実行しない。
【００８４】
ＵＥ１００は、ＣＳＧメンバーセルに近い場合に、ソースｅＮＢ２００へ提供する近接インディケーション（ｐｒｏｘｉｍｉｔｙ  ｉｎｄｉｃａｔｉｏｎ）をｅＮＢ２００へ送信できない。
【００８５】
ＵＥ１００は、ＵＥ１００に複数のトランシーバが共存することにより干渉が発生する問題（ＩＤＣ（Ｉｎ−Ｄｅｖｉｃｅ  Ｃｏｅｘｉｓｔｅｎｃｅ）問題）についてＥ−ＵＴＲＡＮ１０へ知らせるためのＩＤＣインディケーションをｅＮＢ２００へ送信できない。
【００８６】
ＵＥ１００は、ＵＥ１００が省電力を優先することをＥ−ＵＴＲＡＮ１０へ知らせるためのＵＥアシスタンス情報（ＵＥ  Ａｓｓｉｓｔａｎｃｅ  Ｉｎｆｏｒｍａｔｉｏｎ）をｅＮＢ２００へ送信できない。
【００８７】
ＵＥ１００は、ＵＥ１００がＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）サービスを受信中である又は受信に興味があることをＥ−ＵＴＲＡＮ１０へ知らせるためのＭＢＭＳ興味インディケーションをｅＮＢ２００へ送信できない。
【００８８】
ＵＥ１００は、端末間での直接的な無線信号のやり取りであるサイドリンクに関するサイドリンク情報をＥ−ＵＴＲＡＮ１０（ｅＮＢ２００）へ知らせるためのサイドリンクＵＥ情報（Ｓｉｄｅｌｉｎｋ  ＵＥ  Ｉｎｆｏｒｍａｔｉｏｎ）をｅＮＢ２００へ送信できない。サイドリンク情報は、例えば、サイドリンク通信又はディスカバリを受信することに興味がある又はもはや興味がないことをＥ−ＵＴＲＡＮ１０（ｅＮＢ２００）へ知らせるための情報、サイドリンク通信又はディスカバリアナウンスメントのためのリソースを割り当て又は解放を要求するための情報、サービングセルと異なる周波数の（Ｉｎｔｅｒ−ｆｒｅｑｕｅｎｃｙ）セルのシステム情報からのサイドリンク動作に関するパラメータを報告するための情報の少なくともいずれかであってもよい。
【００８９】
（Ｂ）ＲＲＣ接続状態
ＲＲＣ接続状態（ＲＲＣ  ＣＯＮＮＥＣＴＥＤ  ｓｔａｔｅ）は、ＵＥ１００とｅＮＢ２００との間でＲＲＣ接続が確立されている状態である。すなわち、ＵＥ１００は、ＲＲＣ接続を有する。ＲＲＣ接続状態では、以下の制御（動作）が実行される。
【００９０】
ＲＲＣ接続状態では、ＲＲＣコンテキストがｅＮＢ２００において記憶される。Ｅ−ＵＴＲＡＮ１０は、ＵＥ１００が属するセルを知っている。ＵＥ１００は、Ｅ−ＵＴＲＡＮ１０におけるコンテキストを有する。
【００９１】
ＵＥ１００とｅＮＢ２００との間でユーザデータの通信が実行される。ＵＥ１００は、スケジューリング要求（ＳＲ）及びバッファ状態報告（ＢＳＲ）をｅＮＢ２００へ送信できる。
【００９２】
ＵＥ１００は、サウンディング参照信号（ＳＲＳ）をｅＮＢ２００へ送信できる。ＵＥ１００は、チャネル状態情報をｅＮＢ２００へ報告するための無線信号（ＣＳＩフィードバック）をｅＮＢ２００へ送信できる。ＵＥ１００は、レシーバ１１０が受信する信号（特に、参照信号）に基づいてチャネル状態情報（ＣＳＩ）を生成し、当該チャネル状態情報をｅＮＢ２００（サービングセル）にフィードバックする。チャネル状態情報は、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ）などを含む。
【００９３】
ＵＥ１００は、ＰＬＭＮ選択を実行できない。ＵＥ１００は、セル再選択動作を実行できない。
【００９４】
ＲＲＣ接続状態では、ハンドオーバ手順が実行される。従って、ＵＥ１００は、無線信号の測定報告をｅＮＢ２００へ送信できる。ＵＥ１００は、ハンドオーバコマンドをｅＮＢ２００から受信できる。
【００９５】
ＵＥ１００には、ＮＡＳ及びＥ−ＵＴＲＡＮ１０（ｅＮＢ２００）の少なくとも一方によりＤＲＸ（又は拡張ＤＲＸ）が設定できる。ＲＲＣ接続状態であるＵＥ１００には、ＲＲＣ接続状態におけるＤＲＸ（又は拡張ＤＲＸ）が適用できる。この場合、ＵＥ１００は、ＰＤＣＣＨを不連続に受信（モニタ）する。
【００９６】
ＲＲＣ接続状態では、キャリア・アグリゲーション（ＣＡ）が実行できる。ＣＡでは、より広い送信帯域幅をサポートするために、２つ以上のコンポーネントキャリアが統合される。ＵＥ１００は、複数のコンポーネントキャリア（複数のサービングセル）を同時に使用して通信を行う。ＣＡにおいて、ＵＥ１００がＲＲＣ接続を開始する際に所定の情報の提供を行うセルはプライマリセル（ＰＣｅｌｌ）と称される。例えば、プライマリセルは、ＲＲＣ接続確立／再確立／ハンドオーバ時にＮＡＳモビリティ情報（例えば、ＴＡＩ：Ｔｒａｃｋｉｎｇ  Ａｒｅａ  Ｉｄｅｎｔｉｔｙ）の提供を行ったり、ＲＲＣ接続再確立／ハンドオーバ時にセキュリティ情報の提供を行ったりする。一方、プライマリセルと対をなす補助的なサービングセルはセカンダリセル（ＳＣｅｌｌ）と称される。セカンダリセルは、プライマリセルと一緒に形成される。ＣＡでは、ＵＥ１００は、ネットワークと１つのＲＲＣ接続のみを有する。
【００９７】
ＲＲＣ接続状態では、ＵＥ１００は、デュアル・コネクティビティ（ＤＣ）を実行できる。ＤＣでは、ＵＥ１００には、複数のｅＮＢ２００から無線リソースが割り当てられる。複数のｅＮＢ２００は、マスタｅＮＢ（ＭｅＮＢ）とセカンダリｅＮＢ（ＳｅＮＢ）とにより構成される。マスタｅＮＢは、ＤＣにおいて、少なくともＳ１−ＭＭＥ（コントロールプレーンのためのＳ１）インターフェイスが終端するｅＮＢ２００である。ＳｅＮＢは、ＤＣにおいて、ＵＥ１００のために追加的な無線リソースを提供するが、ＭｅＮＢではないｅＮＢ２００である。
【００９８】
ＤＣは、マスタセルグループとセカンダリセルグループと共にコンフィグされた、ＲＲＣ接続状態におけるＵＥ１００の動作のモードである。マスタセルグループは、ＤＣにおいて、ＭｅＮＢと関連付けられたサービングセルのグループである。マスタセルグループは、ＰＣｅｌｌ及びオプション的に１つ以上のＳＣｅｌｌからなる。セカンダリセルグループは、ＤＣにおいて、ＳｅＮＢと関連付けられたサービングセルのグループである。セカンダリセルグループは、ＰＣｅｌｌ及びオプション的に１つ以上のＳＣｅｌｌからなる。
【００９９】
ＲＲＣ接続状態では、ＷＬＡＮアグリゲーションが実行できる。ＷＬＡＮアグリゲーションは、キャリア・アグリゲーションと同様の動作が実行されるが、複数のコンポーネントキャリアの少なくとも一部が、ＷＬＡＮ（Ｗｉｒｅｌｅｓｓ  Ｌｏｃａｌ  Ａｒｅａ  Ｎｅｔｗｏｒｋ）におけるキャリアにより構成される。ＷＬＡＮアグリゲーションでは、セルラ通信（ＬＴＥ通信）とＷＬＡＮ通信とが併用可能である。
【０１００】
ＵＥ１００は、Ｅ−ＵＴＲＡＮ１０とＷＬＡＮとの間でトラフィック・ステアリング（及びネットワークセレクション）を実行できる。ＲＲＣ接続状態であるＵＥ１００は、サービングセルから個別シグナリングを介して取得した補助情報を適用する。ＵＥ１００は、サービングセルから個別シグナリングを介して補助情報を取得していない場合、ブロードキャストシグナリングを介して取得した補助情報を適用する。
【０１０１】
ｅＮＢ２００は、ＵＥ１００に対して、半持続的に無線リソースを割り当てるセミパーシステントスケジューリング（ＳＰＳ）を実行できる。
【０１０２】
ＵＥ１００は、無線リンクモニタ（ＲＬＭ）を実行できる。ＵＥ１００は、無線リンク障害のモニタを実行できる。
【０１０３】
ＵＥ１００は、近接インディケーション（ｐｒｏｘｉｍｉｔｙ  ｉｎｄｉｃａｔｉｏｎ）をｅＮＢ２００へ送信できる。ＵＥ１００は、ＩＤＣインディケーションをｅＮＢ２００へ送信できる。ＵＥ１００は、ＵＥアシスタンス情報（ＵＥ  Ａｓｓｉｓｔａｎｃｅ  Ｉｎｆｏｒｍａｔｉｏｎ）をｅＮＢ２００へ送信できる。ＵＥ１００は、ＭＢＭＳ興味インディケーションをｅＮＢ２００へ送信できる。ＵＥ１００は、サイドリンクＵＥ情報（Ｓｉｄｅｌｉｎｋ  ＵＥ  Ｉｎｆｏｒｍａｔｉｏｎ）をｅＮＢ２００へ送信できる。
【０１０４】
（Ｃ）ＲＲＣ半接続状態
ＲＲＣ半接続状態は、ＵＥ１００のコンテキスト情報がｅＮＢ２００に記憶されている状態である。ＲＲＣ半接続状態は、ＲＲＣ接続状態よりもＵＥ１００とｅＮＢ２００との間の所定の無線信号の送信が制限又は免除される状態である。ＲＲＣ半接続状態では、以下の制御（動作）が実行される。
【０１０５】
ＲＲＣ半接続状態では、ＲＲＣコンテキスト情報がｅＮＢ２００において記憶できる。或いは、ＲＲＣコンテキスト情報がｅＮＢ２００において記憶できなくてもよい。ｅＮＢ２００は、ｅＮＢ２００とＥＰＣ２０との間の接続を維持できる。具体的には、ｅＮＢ２００は、ｅＮＢ２００とＭＭＥ３００との間のＳ１接続（Ｓ１−Ｕベアラ）を維持できる。或いは、ｅＮＢ２００は、ｅＮＢ２００とＥＰＣ２０との間の接続を維持できなくてもよい。ＵＥ１００は、Ｅ−ＵＴＲＡＮ１０におけるコンテキストを有することができる。或いは、ＵＥ１００は、Ｅ−ＵＴＲＡＮ１０におけるコンテキストを有することができなくてもよい。Ｅ−ＵＴＲＡＮ１０は、ＵＥ１００が属するセルを知っている。或いは、Ｅ−ＵＴＲＡＮ１０は、ＵＥ１００が属するセルを知らなくてもよい。
【０１０６】
ＲＲＣ半接続状態では、ＵＥ１００とｅＮＢ２００との間でユーザデータの通信が実行されない。ＵＥ１００は、ＲＲＣ半接続状態において、ＵＥ１００において通信すべきユーザデータが発生した場合、ＲＲＣ半接続状態からＲＲＣ接続状態へ移行して、ユーザデータをｅＮＢ２００へ送信できる。ＵＥ１００は、ＵＥ１００においてユーザデータが発生した場合、ＲＲＣ半接続状態からＲＲＣ接続状態への移行を示す情報をｅＮＢ２００へ送信してもよい。
【０１０７】
ただし、ＵＥ１００は、ＲＲＣ半接続状態において、ｅＮＢ２００からユーザデータを受信できてもよい。この場合、ＵＥ１００は、ｅＮＢ２００からユーザデータを受信した後に、ＲＲＣ半接続状態からＲＲＣ接続状態へ移行する。ｅＮＢ２００においてユーザデータが発生した場合、ｅＮＢ２００は、ＵＥ１００がＲＲＣ接続状態へ移行するための情報をＵＥ１００へ送信してもよい。ｅＮＢ２００は、当該情報を送信した後に、ユーザデータをＵＥ１００へ送信してもよい。ＵＥ１００は、当該情報を受信した後に、ＲＲＣ半接続状態からＲＲＣ接続状態へ移行する。これにより、ＵＥ１００は、ＲＲＣ接続状態において、ユーザデータをｅＮＢ２００から受信できる。
【０１０８】
ＵＥ１００は、スケジューリング要求及びバッファ状態報告をｅＮＢ２００へ送信できない。或いは、ＵＥ１００は、スケジューリング要求及びバッファ状態報告の少なくとも一方をｅＮＢ２００へ送信できてもよい。例えば、ＵＥ１００は、通信すべきユーザデータが発生した場合に、ＲＲＣ半接続状態において、スケジューリング要求及びバッファ状態報告の少なくとも一方を送信できてもよい。
【０１０９】
ＵＥ１００は、サウンディング参照信号をｅＮＢ２００へ送信できる。ＵＥ１００は、サウンディング参照信号の送信が制限又は免除されてもよい。この場合、サウンディング参照信号が「所定の無線信号」に相当する。例えば、ＵＥ１００は、ＵＥ１００がＲＣＣ接続状態である場合よりも、サウンディング参照信号の送信頻度を低減してもよい。ＵＥ１００は、サウンディング参照信号の送信を停止してもよい。
【０１１０】
ＵＥ１００は、チャネル状態情報を報告するための無線信号（ＣＳＩフィードバック）をｅＮＢ２００へ送信できる。ＵＥ１００は、ＣＳＩフィードバックの送信が制限又は免除されてもよい。この場合、ＣＳＩフィードバックが所定の無線信号に相当する。例えば、ＵＥ１００は、ＵＥ１００がＲＣＣ接続状態である場合よりも、ＣＳＩフィードバックの送信頻度を低減してもよい。ＵＥ１００は、ＣＳＩフィードバックの送信を停止してもよい。
【０１１１】
ＵＥ１００は、ＰＬＭＮ選択を実行できる。或いは、ＵＥ１００は、ＰＬＭＮ選択を実行できなくてもよい。ＵＥ１００は、セル再選択動作を実行できる。或いは、ＵＥ１００は、セル再選択動作を実行できなくてもよい。
【０１１２】
ＲＲＣ半接続状態では、ハンドオーバ手順が実行できない。従って、ＵＥ１００は、無線信号の測定報告をｅＮＢ２００へ送信できない。ＵＥ１００は、ハンドオーバコマンドをｅＮＢ２００から受信できない。或いは、ＲＲＣ半接続状態では、ハンドオーバ手順が実行できてもよい。例えば、後述するように、隣接ｅＮＢ２００が、ＵＥ１００のコンテキスト情報の受信を拒否した場合に、ハンドオーバ手順が実行されてもよい。
【０１１３】
ＵＥ１００には、ＮＡＳ（ＭＭＥ３００）及びＥ−ＵＴＲＡＮ１０（ｅＮＢ２００）の少なくとも一方によりＤＲＸ（又は拡張ＤＲＸ）が設定できる。或いは、ＵＥ１００には、ＮＡＳのみによりＤＲＸ（又は拡張ＤＲＸ）が設定できてもよい。ＵＥ１００には、ＲＲＣ接続状態におけるＤＲＸ（又は拡張ＤＲＸ）が適用できる。或いは、ＵＥ１００には、ＲＲＣアイドル状態におけるＤＲＸ（又は拡張ＤＲＸ）が適用できてもよい。
【０１１４】
ＲＲＣ半接続状態では、キャリア・アグリゲーションが実行できない。ＵＥ１００において、キャリア・アグリゲーションの設定がディアクティベート（不活性）であってもよい。ＵＥ１００において、キャリア・アグリゲーションの設定が破棄されていてもよい（Ｄｅｃｏｎｆｉｇ．）。或いは、ＲＲＣ半接続状態において、キャリア・アグリゲーションが実行できてもよい。例えば、ＵＥ１００は、キャリア・アグリゲーションにより、ｅＮＢ２００からユーザデータを受信してもよい。ＵＥ１００は、ｅＮＢ２００からのユーザデータを受信した後に、ＲＲＣ半接続状態からＲＲＣ接続状態へ移行してもよい。
【０１１５】
ＲＲＣ半接続状態では、デュアル・コネクティビティが実行できない。ＵＥ１００において、デュアル・コネクティビティの設定がディアクティベートであってもよい。ＵＥ１００において、デュアル・コネクティビティの設定が破棄されていてもよい。或いは、ＲＲＣ半接続状態において、デュアル・コネクティビティが実行できてもよい。例えば、ＵＥ１００は、デュアル・コネクティビティにより、ｅＮＢ２００からユーザデータを受信してもよい。ＵＥ１００は、ｅＮＢ２００からのユーザデータを受信した後に、ＲＲＣ半接続状態からＲＲＣ接続状態へ移行してもよい。
【０１１６】
ＲＲＣ半接続状態では、ＷＬＡＮアグリゲーションが実行できない。ＵＥ１００において、ＷＬＡＮアグリゲーションの設定がディアクティベートであってもよい。ＵＥ１００において、ＷＬＡＮアグリゲーションの設定が破棄されていてもよい。或いは、ＲＲＣ半接続状態において、ＷＬＡＮアグリゲーションが実行できてもよい。例えば、ＵＥ１００は、ＷＬＡＮアグリゲーションにより、ｅＮＢ２００からユーザデータを受信してもよい。ＵＥ１００は、ｅＮＢ２００からのユーザデータを受信した後に、ＲＲＣ半接続状態からＲＲＣ接続状態へ移行してもよい。
【０１１７】
ＵＥ１００は、Ｅ−ＵＴＲＡＮ１０とＷＬＡＮとの間でトラフィック・ステアリング（及びネットワークセレクション）を実行できる。ＲＲＣ半接続状態であるＵＥ１００は、サービングセルから個別シグナリングを介して取得した補助情報を適用する。ＵＥ１００は、サービングセルから個別シグナリングを介して補助情報を取得していない場合、ブロードキャストシグナリングを介して取得した補助情報を適用する。
【０１１８】
ｅＮＢ２００は、ＵＥ１００に対して、半持続的に無線リソースを割り当てるセミパーシステントスケジューリング（ＳＰＳ）を実行できない。ＵＥ１００においてＳＰＳの設定がディアクティベートであってもよい。ＵＥ１００において、ＳＰＳの設定が破棄されていてもよい。或いは、ｅＮＢ２００は、ＲＲＣ半接続状態におけるＵＥ１００に対して、ＳＰＳを実行できてもよい。例えば、ＵＥ１００は、ＳＰＳにより無線リソースを割り当てられた後に、ＲＲＣ半接続状態からＲＲＣ接続状態へ移行してもよい。
【０１１９】
ＵＥ１００は、無線リンクモニタ（ＲＬＭ）を実行できない。或いは、ＵＥ１００は、ＲＬＭを実行できてもよい。ＵＥ１００は、無線リンク障害（ＲＬＦ）のモニタを実行できない。或いは、ＵＥ１００は、ＲＬＦのモニタを実行できてもよい。
【０１２０】
ＵＥ１００は、近接インディケーションをｅＮＢ２００へ送信できない。或いは、ＵＥ１００は、近接インディケーションをｅＮＢ２００へ送信できてもよい。近接インディケーションを送信するための無線信号が、「所定の無線信号」に含まれてもよい。
【０１２１】
ＵＥ１００は、ＩＤＣインディケーションをｅＮＢ２００へ送信できない。或いは、ＵＥ１００は、ＩＤＣインディケーションをｅＮＢ２００へ送信できてもよい。ＩＤＣインディケーションを送信するための無線信号が、「所定の無線信号」に含まれてもよい。
【０１２２】
ＵＥ１００は、ＵＥアシスタンス情報をｅＮＢ２００へ送信できない。或いは、ＵＥ１００は、ＵＥアシスタンス情報をｅＮＢ２００へ送信できてもよい。ＵＥアシスタンス情報を送信するための無線信号が、「所定の無線信号」に含まれてもよい。
【０１２３】
ＵＥ１００は、ＭＢＭＳ興味インディケーションをｅＮＢ２００へ送信できない。或いは、ＵＥ１００は、ＭＢＭＳ興味インディケーションをｅＮＢ２００へ送信できてもよい。ＭＢＭＳ興味インディケーションを送信するための無線信号が、「所定の無線信号」に含まれてもよい。
【０１２４】
ＵＥ１００は、サイドリンクＵＥ情報をｅＮＢ２００へ送信できない。或いは、ＵＥ１００は、サイドリンクＵＥ情報をｅＮＢ２００へ送信できてもよい。サイドリンクＵＥ情報を送信するための無線信号が、「所定の無線信号」に含まれてもよい。
【０１２５】
以上のように、ＲＲＣ接続状態においてＵＥ１００（又はｅＮＢ２００）が送信できる所定の無線信号の送信が、ＲＲＣ半接続状態において制限又は免除されることにより、シグナリングの数を低減することができる。ＲＲＣ接続状態においてＵＥ１００（又はｅＮＢ２００）が実行できる動作が、ＲＲＣ半接続状態において制限又は免除されることにより、ＵＥ１００の電力消耗を低減できる。
【０１２６】
（第１実施形態に係る動作）
次に、第１実施形態に係る動作について、図６を用いて説明する。図６は、第１実施形態に係る動作を説明するためのシーケンス図である。
【０１２７】
ＵＥ１００は、ｅＮＢ２００が管理するセルに在圏する。ＵＥ１００は、ｅＮＢ２００との間でＲＲＣ接続を確立している。ＵＥ１００は、ＲＲＣ接続状態である。
【０１２８】
図６に示すように、ステップＳ１０１において、ＵＥ１００とｅＮＢ２００とは、ユーザデータの通信を実行する。
【０１２９】
ステップＳ１０２において、ＵＥ１００とｅＮＢ２００とは、ユーザデータの通信が終了する。すなわち、ＵＥ１００とｅＮＢ２００との間で利用可能なユーザデータ（通信すべきユーザデータ）がない。
【０１３０】
ステップＳ１０３において、ＵＥ１００及びｅＮＢ２００は、ユーザデータの通信が終了した場合に、タイマを起動する。ＵＥ１００が有する（起動する）タイマは、ＲＲＣ接続状態からＲＲＣ半接続状態へ移行する時間を計るためのタイマである。ｅＮＢ２００が有する（起動する）タイマは、ＵＥ１００がＲＲＣ接続状態からＲＲＣ半接続状態へ移行したか否かを判断するためのタイマである。
【０１３１】
ＵＥ１００は、通信すべきユーザデータがバッファに残ってなく、及び／又は、ｅＮＢ２００からユーザデータを受信しない場合に、タイマを起動する。ｅＮＢ２００も同様に、通信すべきユーザデータがバッファに残ってなく、及び／又は、ＵＥ１００からユーザデータを受信しない場合に、タイマを起動する。ｅＮＢ２００は、ＵＥ１００内のユーザデータ（データバッファ）がゼロであると予測される場合に、タイマを起動してもよい。ｅＮＢ２００は、例えば、ＵＥ１００から受信したＢＳＲに基づいて、ＵＥ１００からＢＳＲに対応するユーザデータを受信した場合に、ＵＥ１００内のユーザデータがゼロであると予測できる。
【０１３２】
ＵＥ１００は、通信すべきユーザデータが発生した場合、又は、ｅＮＢ２００からユーザデータを受信した場合、タイマをリセットし、再起動（再スタート）する。ｅＮＢ２００も、通信すべきユーザデータが発生した場合、又は、ＵＥ１００からユーザデータを受信した場合、タイマをリセットし、再起動（再スタート）する。
【０１３３】
ＵＥ１００及びｅＮＢ２００のそれぞれは、ユーザデータを送信する毎に、タイマをリセット（再スタート）してもよい。データ通信が終了した場合には、タイマのリセットが発生しないので、ＵＥ１００がＲＲＣ接続状態からＲＲＣ半接続状態へ移行したか否かを判断できる。
【０１３４】
ｅＮＢ２００は、共通シグナリング（例えば、ＳＩＢ）又は個別シグナリング（例えば、ＲＲＣ接続再設定（ＲＲＣ  Ｃｏｎｎｅｃｔｉｏｎ  Ｒｅｃｏｎｆｉｇｕｒａｔｉｏｎ））により、ＵＥ１００にタイマ値を（事前に）設定できる。
【０１３５】
ステップＳ１０４において、タイマが満了した場合、ＵＥ１００は、ＲＲＣ半接続状態へ移行する制御を実行する。これにより、ＵＥ１００は、ＲＲＣ半接続状態である。
【０１３６】
ＵＥ１００は、ＲＲＣ半接続状態において、ＵＥ１００がＲＲＣ接続状態である場合よりも、所定の無線信号の送信頻度を低減する制御を実行する。例えば、所定の無線信号は、ＣＳＩフィードバック（ＣＳＩをｅＮＢ２００へ報告するための無線信号）及びＳＲＳの少なくとも一方である。具体的には、ＵＥ１００は、ＳＲＳ及び／又はＣＳＩフィードバックの単位時間当たりの送信回数を低減する。ＵＥ１００は、ＳＲＳ及び／又はＣＳＩフィードバックの送信周期を長くしてもよい。ＵＥ１００は、所定時間内に、上限値を越えてＳＲＳ及び／又はＣＳＩフィードバックの送信できなくてもよい。
【０１３７】
ＵＥ１００は、ＲＲＣ接続状態からＲＲＣ半接続状態へ移行した場合に、ｅＮＢ２００から設定（コンフィグ）されている全ての情報又は一部の情報を破棄（解放）せずに不活性（ディアクティベート）にしてもよい。ＵＥ１００は、ＲＲＣ接続状態からＲＲＣ半接続状態へ移行した場合に、ｅＮＢ２００から設定（コンフィグ）されている情報（の少なくとも一部）を破棄（解放）してもよい。
【０１３８】
タイマが満了した場合、ｅＮＢ２００は、ＵＥ１００がＲＲＣ接続状態からＲＲＣ半接続状態へ移行したと判断する。ｅＮＢ２００は、ＵＥ１００がＲＲＣ接続状態でなくても、ＵＥ１００のコンテキスト情報を破棄せずに記憶し続ける。ｅＮＢ２００は、ＲＲＣ接続を解放せずに維持し続けることができる。
【０１３９】
ここで、コンテキスト情報は、ＵＥ１００とのＲＲＣ接続を再開してもよいかを判断するための情報であってもよい。コンテキスト情報は、例えば、ｅＮＢ２００におけるＵＥ１００の識別子（Ｃ−ＲＮＴＩ）を含むＲＲＣコンテキスト、必要なＲＮＬ（Ｒａｄｉｏ  Ｎｅｔｗｏｒｋ  Ｌａｙｅｒ）及びＴＮＬ（Ｔｒａｎｓｐｏｒｔ  Ｎｅｔｗｏｒｋ  Ｌａｙｅｒ）アドレス情報（ＲＮＬ  ａｎｄ  ＴＮＬ  ａｄｄｒｅｓｓｉｎｇ  ｉｎｆｏｒｍａｔｉｏｎ）を含むＥ−ＲＡＢコンテキストなどを含んでもよい。コンテキスト情報は、例えば、接続確立時又は最新のＴＡ（Ｔｒａｃｋｉｎｇ  Ａｒｅａ）更新時に提供されたローミング及びアクセス制限に関する情報を含んでもよい。コンテキスト情報は、ＲＲＣ（無線レイヤ）の設定情報及びＲＲＣの履歴情報を含んでもよい。
【０１４０】
ｅＮＢ２００は、ＵＥ１００からのＳＲＳ及び／又はＣＳＩフィードバックの送信が低減しても、ＵＥ１００がＲＲＣ半接続状態であることが低減の理由であると分かる。
【０１４１】
ステップＳ１０５において、ＵＥ１００において、通信すべきユーザデータが発生する。ＵＥ１００は、ＲＲＣ半接続状態からＲＲＣ接続状態へ移行する。
【０１４２】
ステップＳ１０６において、ＲＲＣ接続状態におけるＵＥ１００は、ユーザデータをｅＮＢ２００へ送信する。ｅＮＢ２００は、ＵＥ１００からのユーザデータを受信することにより、ＵＥ１００がＲＲＣ半接続状態からＲＲＣ接続状態へ移行したことが分かる。ＵＥ１００は、ＲＲＣ接続状態への移行を示す情報をｅＮＢ２００へ送信した後に、ユーザデータをｅＮＢ２００へ送信してもよい。
【０１４３】
ＵＥ１００は、ｅＮＢ２００から設定（コンフィグ）されている情報（の少なくとも一部）を保持している場合、不活性（ディアクティベート）されている設定を活性（アクティべード）にしてもよい。これにより、ＵＥ１００がｅＮＢ２００により新たに設定（コンフィグ）される必要がないため、シグナリングを低減できる。
【０１４４】
以上のように、ＵＥ１００は、ｅＮＢ２００とのユーザデータの通信が終了した後、ＲＲＣ接続状態からＲＲＣアイドル状態へ移行する。ＲＲＣ半接続状態は、ＵＥ１００のコンテキスト情報がｅＮＢ２００に記憶されている状態であり、かつ、ＲＲＣ接続状態よりもＵＥ１００とｅＮＢ２００との間で所定の無線信号の送信が制限又は免除される状態である。これにより、ＲＲＣ接続状態よりも、シグナリングの数が低減できる。ｅＮＢ２００が、ＵＥ１００のコンテキスト情報を記憶しているため、ＲＲＣアイドル状態からＲＲＣ接続状態へ移行する場合に比べて、シグナリングの数を低減できる。
【０１４５】
（第１実施形態に係る変更例１）
次に、第１実施形態に係る変更例１について図７を用いて説明する。図７は、第１実施形態に係る変更例１を説明するためのシーケンス図である。上述で説明した内容と同じ部分は、適宜省略する。本変更例では、ｅＮＢ２００において通信すべきユーザデータが発生する。
【０１４６】
ステップＳ２０１からＳ２０４は、ステップＳ１０１からＳ１０４に対応する。
【０１４７】
ステップＳ２０５において、ｅＮＢ２００において、通信すべきユーザデータが発生する。
【０１４８】
ステップＳ２０６において、ｅＮＢ２００は、ＲＲＣ半接続状態であるＵＥ１００へユーザデータを送信する。ＵＥ１００は、ユーザデータをｅＮＢ２００から受信する。ＵＥ１００は、ユーザデータの受信に応じて、ＲＲＣ半接続状態からＲＲＣ接続状態へ移行する。このように、ＵＥ１００がＲＲＣ半接続状態である場合であっても、ＵＥ１００とｅＮＢ２００との間で通信が実行されてもよい。
【０１４９】
ｅＮＢ２００は、ユーザデータを送信する前に、ＵＥ１００がＲＲＣ接続状態へ移行するための情報をＵＥ１００へ送信してもよい。ｅＮＢ２００は、当該情報を送信した後に、ユーザデータを送信してもよい。
【０１５０】
（第１実施形態に係る変更例２）
次に、第１実施形態に係る変更例２について説明する。上述で説明した内容と同じ部分は、適宜省略する。
【０１５１】
上述の第１実施形態では、ＵＥ１００は、ＲＲＣ接続状態へ移行するための１つのタイマを有していた。本変更例では、ＵＥ１００は、上りリンク用のタイマ（ＵＬタイマ）と下りリンク用のタイマ（ＤＬタイマ）とを有する。
【０１５２】
ＵＥ１００は、ｅＮＢ２００へ最後のユーザデータを送信した場合に、上りリンク用のタイマ（ＵＬタイマ）を起動する。ＵＥ１００は、ＵＬタイマを起動した後に、ユーザデータが発生した場合、ＵＬタイマをリセットする。ＵＥ１００は、発生したユーザデータを全てｅＮＢ２００へ送信した場合に、ＵＬタイマを再起動する。ＵＥ１００は、ＵＬタイマが満了した場合、上りリンクにおいてＲＲＣ半接続状態へ移行する。ＵＥ１００は、上りリンクにおいてＲＲＣ半接続状態へ移行した場合、ＳＲＳの送信頻度を低減できる。ＵＥ１００は、ＳＲＳの送信を停止してもよい。
【０１５３】
一方、ＵＥ１００は、ｅＮＢ２００から最後のユーザデータを受信した場合に、下りリンク用のタイマ（ＤＬタイマ）を起動する。ＵＥ１００は、ＤＬタイマを起動した後に、ｅＮＢ２００からユーザデータを受信した場合、ＤＬタイマをリセットする。ＵＥ１００は、ｅＮＢ２００からユーザデータの受信が終了した場合に、ＤＬタイマを再起動する。ＵＥ１００は、ＤＬタイマが満了した場合、下りリンクにおいてＲＲＣ半接続状態へ移行する。ＵＥ１００は、下りリンクにおいてＲＲＣ半接続状態へ移行した場合、ＣＳＩフィードバックの送信頻度を低減できる。ＵＥ１００は、ＣＳＩフィードバックの送信を停止してもよい。
【０１５４】
ｅＮＢ２００も、ＵＥ１００と同様に、ＵＬタイマとＤＬタイマとを有する。ｅＮＢ２００は、ＵＥ１００から最後のユーザデータを受信した場合に、ＵＬタイマを起動する。ｅＮＢ２００は、ＵＬタイマを起動した後に、ＵＥ１００からユーザデータを受信した場合、ＵＬタイマをリセットする。ｅＮＢ２００は、ＵＥ１００からのユーザデータの受信が全て終了した場合に、ＵＬタイマを再起動する。ｅＮＢ２００は、ＵＬタイマが満了した場合、ＵＥ１００が上りリンクにおいてＲＲＣ半接続状態へ移行したと判断できる。
【０１５５】
一方、ｅＮＢ２００は、ＵＥ１００へ最後のユーザデータを送信した場合に、ＤＬタイマを起動する。ｅＮＢ２００は、ＤＬタイマを起動した後に、ＵＥ１００へのユーザデータが発生した場合、ＤＬタイマをリセットする。ｅＮＢ２００は、発生したユーザデータを全てＵＥ１００へ送信した場合に、ＤＬタイマを再起動する。ｅＮＢ２００は、ＤＬタイマが満了した場合、ＵＥ１００が下りリンクにおいてＲＲＣ半接続状態へ移行したと判断できる。
【０１５６】
以上のように、ＲＲＣ半接続状態として、上りリンクにおけるＲＲＣ半接続状態と下りリンクにおけるＲＲＣ半接続状態とが、独立して存在してもよい。これにより、ｅＮＢ２００からＵＥ１００へ（或いは、ＵＥ１００からｅＮＢ２００へ）の通信のみが実行されている場合であっても、柔軟にシグナリングを低減できる。
【０１５７】
（第１実施形態に係る変更例３）
次に、第１実施形態に係る変更例３について説明する。上述で説明した内容と同じ部分は、適宜省略する。
【０１５８】
本変更例では、ＵＥ１００は、所定の無線信号の送信の制限条件（又は免除条件）を変えるために２つのタイマを有する。
【０１５９】
ＵＥ１００は、第１タイマ及び第２タイマを有する。ＵＥ１００は、ユーザデータの通信が終了した後、第１タイマ及び第２タイマを起動する。
【０１６０】
ＵＥ１００は、第１タイマが満了した場合に、所定の無線信号の送信頻度を低減する制御を実行する。例えば、ＵＥ１００は、ＳＲＳ及びＣＳＩフィードバックの少なくとも一方の送信頻度を低減する。
【０１６１】
ＵＥ１００は、第２タイマが満了した場合に、所定の無線信号の送信を停止する。ＵＥ１００は、送信頻度を低減した所定の無線信号の送信を停止する。
【０１６２】
ＵＥ１００は、ユーザデータの通信が終了した場合に、第１タイマ及び第２タイマの両方を起動してもよい。この場合、第２タイマのタイマ値は、第１タイマのタイマ値よりも長い値である。ユーザデータの通信が再開された場合、ＵＥ１００は、第１タイマ及び第２タイマをリセットし、再起動する。
【０１６３】
或いは、ＵＥ１００は、ユーザデータの通信が終了した場合に、第１タイマを起動し、第１タイマが満了した場合に、第２タイマを起動してもよい。ＵＥ１００は、ユーザデータの通信が再開された場合、ＵＥ１００は、（第１タイマ及び第２タイマをリセットし）第１タイマを再起動する。
【０１６４】
ｅＮＢ２００は、ＵＥ１００と同様に、第１タイマ及び第２タイマを有していてもよい。ｅＮＢ２００におけるタイマの取り扱いは、ＵＥ１００と同様であるため、説明を省略する。
【０１６５】
以上のように、所定の無線信号の送信を段階的に低減することができるため、シグナリングを適切に低減できる。
【０１６６】
［第２実施形態］
次に、第２実施形態について説明する。上述で説明した内容と同じ部分は、適宜省略する。
【０１６７】
（第２実施形態に係る動作）
第２実施形態に係る動作について、図８を用いて説明する。図８は、第２実施形態に係る動作を説明するためのシーケンス図である。第２実施形態では、ＲＲＣ半接続状態であるＵＥ１００がサービングセルを変更するケースについて説明する。
【０１６８】
ＵＥ１００は、ｅＮＢ２００−１が管理するセルに在圏する。ＵＥ１００は、ｅＮＢ２００−１との間でＲＲＣ接続を確立している。ＵＥ１００は、ＵＥ１００とｅＮＢ２００−１との間でＲＲＣ接続状態である。
【０１６９】
図８に示すように、ステップＳ３０１において、ＵＥ１００は、ＵＥ能力情報（ＵＥ  Ｃａｐａｂｉｌｉｔｙ）をｅＮＢ２００−１へ送信する。ＵＥ能力情報は、ＵＥ１００がＲＲＣ半接続状態をサポートしていることを示す情報（Ａｌｗａｙｓ−ｃｏｎｎｅｃｔｅｄ  ｓｕｐｐｏｒｔ）を含む。ｅＮＢ２００−１は、ＵＥ能力情報を受信する。ｅＮＢ２００−１は、ＵＥ能力情報に基づいて、ＵＥ１００がＲＲＣ半接続状態をサポートしていると判断する。
【０１７０】
ステップＳ３０２において、ｅＮＢ２００−１は、ＲＲＣ半接続状態においてＵＥ１００がセル再選択を実行するためのセル再選択情報（Ｃｅｌｌ  ｒｅｓｅｌｅｃｔｉｏｎ  ｉｎｄｉｃａｔｉｏｎ  ｃｏｎｆｉｇ．）をＵＥ１００へ送信する。ｅＮＢ２００−１は、ＲＲＣ半接続状態をサポートしているＵＥ１００にのみセル再選択情報を送信してもよい。ｅＮＢ２００−１は、ＵＥ１００へ無線信号の測定（及び測定報告）を設定するための測定設定情報（Ｍｅａｓｕｒｅｍｅｎｔ  Ｃｏｎｆｉｇ．）と共にセル再選択情報を送信してもよい。例えば、ｅＮＢ２００−１は、測定設定情報及びセル再選択情報を含むＲＲＣ設定情報をＵＥ１００へ送信する。
【０１７１】
セル再選択情報は、ＲＲＣ半接続状態におけるＵＥ１００がセル再選択を実行することを許可するための情報である。セル再選択情報は、後述するセル再選択インディケーションをＵＥ１００がｅＮＢ２００−１へ送信するための情報（セル再選択トリガなど）を含んでもよい。セル再選択トリガは、既存のセル再選択パラメータと同じでもよい。セル再選択トリガは、セル再選択パラメータと異なるパラメータ（閾値）であってもよい。セル再選択情報は、上述したタイマの情報（タイマ値など）を含んでいてもよい。
【０１７２】
セル再選択情報は、ＲＲＣ半接続状態であるＵＥ１００を識別するための識別情報を含んでいてもよい。例えば、識別情報は、ＵＥ  Ｘ２ＡＰ  ＩＤであってもよく、ＴＡ内で固有の識別子（ＴＡ内ＩＤ）であってもよい。ＭＭＥ３００が、ＴＡ内ＩＤをＵＥ１００に割り当てる。ＭＭＥ３００は、ＴＡ内ＩＤを、ＮＡＳシグナリングによりＵＥ１００へ通知してもよい。ＭＭＥ３００は、ｅＮＢ２００−１を介して当該セル再選択情報によりＵＥ１００へ通知してもよい。ＭＭＥ３００は、例えば、初期コンテキストセットアップ（Ｉｎｉｔｉａｌ  Ｃｏｎｔｅｘｔ  Ｓｅｔｕｐ）などにより、Ｓ１インターフェイスを介してｅＮＢ２００−１へＴＡ内ＩＤを通知してもよい。
【０１７３】
ステップＳ３０３からＳ３０５は、ステップＳ１０２からＳ１０４に対応する。ＵＥ１００は、ステップＳ３０５においてＲＲＣ接続状態からＲＲＣ半接続状態へ移行した後に、以下の動作を実行できる。或いは、ＵＥ１００は、ＲＲＣ接続状態において、以下の動作（Ｓ３０６、Ｓ３０７）を実行した後に、ＲＲＣ半接続状態へ移行してもよい。
【０１７４】
ステップＳ３０６において、ハンドオーバトリガが満たされる。本実施形態では、ＵＥ１００は、ＲＲＣ半接続状態において、無線信号の測定報告をｅＮＢ２００−１へ送信することを省略する制御を実行する。ＵＥ１００は、ＲＲＣ接続状態において、無線信号の測定報告をｅＮＢ２００−１へ送信する。従って、無線信号の測定報告が送信されないため、シグナリングを低減できる。
【０１７５】
ステップＳ３０６において、セル再選択トリガが満たされる。ＵＥ１００は、セル再選択トリガが満たされた場合、セル再選択を実行してもよい。ＵＥ１００は、セル再選択を実行した後に、ステップＳ３０７の処理を実行してもよい。或いは、ＵＥ１００は、セル再選択トリガが満たされた場合、セル再選択を実行する前に、ステップＳ３０７の処理を実行してもよい。
【０１７６】
ステップＳ３０７において、ＲＲＣ半接続状態であるＵＥ１００は、第１のセル再選択インディケーションをｅＮＢ２００−１へ送信する制御を実行する。
【０１７７】
第１のセル再選択インディケーションは、ＵＥ１００がセル再選択を実行することをｅＮＢ２００−１へ知らせるための情報である。これにより、ｅＮＢ２００−１は、ＵＥ１００がセル再選択を実行することを知ることができる。
【０１７８】
ＵＥ１００は、セル再選択を実行した場合、再選択したセルを識別するためのセル情報をｅＮＢ２００−１へ送信する制御を実行してもよい。例えば、ＵＥ１００は、第１のセル再選択インディケーションにセル情報を含めてもよい。セル情報は、例えば、物理セル識別子（ＰＣＩＤ：Ｐｈｙｓｉｃａｌ  Ｃｅｌｌ  ＩＤ）、ｅＮＢ２００−１から受信した無線信号の測定対象を示すセルの識別子（Ｍｅａｓ  ＩＤ又はＭｅａｓＯｂｊｅｃｔ  ＩＤ）などであってもよい。
【０１７９】
本実施形態では、ＵＥ１００は、ｅＮＢ２００−２が管理するセルを選択したと仮定する。従って、ｅＮＢ２００−１は、ソースｅＮＢに相当し、ｅＮＢ２００−２は、ターゲットｅＮＢに相当する。
【０１８０】
ＵＥ１００は、第１のセル再選択インディケーションを送信した後に、ＲＲＣ半接続状態において、セル再選択を実行してもよい。
【０１８１】
ｅＮＢ２００−１は、第１のセル再選択インディケーションをＵＥ１００から受信した場合、ＵＥ１００がセル再選択を実行する（実行した）と判断する。ｅＮＢ２００−１は、第１のセル再選択インディケーションを受信した場合、ＵＥ１００に対するハンドオーバ手順を中止できる。従って、ｅＮＢ２００−１は、仮に、ＵＥ１００から無線信号の測定報告を受信している場合、ハンドオーバコマンドがＵＥ１００へ送信されない。このため、シグナリングを低減できる。ｅＮＢ２００−１とターゲットｅＮＢとの間のシグナリングも低減できる。
【０１８２】
ｅＮＢ２００−１は、第１のセル再選択インディケーションにセル情報が含まれる場合、ステップＳ３０９の処理を実行する。
【０１８３】
一方、ｅＮＢ２００−１は、第１のセル再選択インディケーションにセル情報が含まれない場合、ＵＥ１００のコンテキスト情報を破棄してもよい。或いは、ｅＮＢ２００−１は、ＵＥ１００のコンテキスト情報を所定期間経過するまで保持していてもよい。これにより、ＵＥ１００が、同じセルへ再度接続を要求したり、ｅＮＢ２００−１が管理する他のセルへ接続を要求したりする場合に、ＲＲＣ接続を確立するためのシグナリングを低減できる。
【０１８４】
ステップＳ３０８において、ＵＥ１００は、ＲＲＣ半接続状態からＲＲＣアイドル状態へ移行してもよい。ＵＥ１００は、セル選択を実行した後に、ＲＲＣアイドル状態へ移行してもよい。或いは、ＵＥ１００は、ＲＲＣアイドル状態へ移行した後に、セル再選択を実行してもよい。ＵＥ１００は、ＲＲＣ接続状態において、上述の動作を実行した後に、ＲＲＣ接続状態からＲＲＣ半接続状態へ移行してもよい。ステップＳ３０８の処理は省略されてもよい。
【０１８５】
ステップＳ３０９において、ｅＮＢ２００−１は、ＵＥ１００が接続可能なセルを管理するターゲットｅＮＢを決定する。
【０１８６】
例えば、ｅＮＢ２００−１は、他のｅＮＢが管理するセルのリストを保持している。ｅＮＢ２００−１は、当該リストと第１のセル再選択インディケーションに含まれるセル情報とに基づいて、ターゲットｅＮＢを決定する。本実施形態において、ｅＮＢ２００−１は、ｅＮＢ２００−２をターゲットｅＮＢとして決定する。
【０１８７】
ステップＳ３１０において、ｅＮＢ２００−１は、再選択したセルを管理するｅＮＢ２００−２へＵＥ１００のコンテキスト情報を送る制御を実行する。例えば、ｅＮＢ２００−１は、ＵＥ１００のコンテキスト情報を含むセル第２のセル再選択インディケーションをｅＮＢ２００−２へ送る。
【０１８８】
第２のセル再選択インディケーションは、コンテキスト情報が用いられるＵＥ１００を識別するためのＵＥ情報を含む。ＵＥ情報は、例えば、ＴＡ内ＩＤ、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＵＥ１００がＲＲＣ半接続状態に移行した最初のセル（Ｏｒｉｇｉｎａｌ  ｃｅｌｌ）の識別子（Ｏｒｉｇｉｎａｌ  ｃｅｌｌ  ＰＣＩＤ）、当該最初のセルでＵＥ１００に割り当てられた一時識別子（例えば、Ｏｒｉｇｉｎａｌ  Ｃ−ＲＮＴＩ）の少なくともいずれかである。
【０１８９】
第２のセル再選択インディケーションは、ＵＥ１００が再選択したセルを識別するためのセル情報を含んでもよい。セル情報は、例えば、ＵＥ１００が再選択したセルの識別子（Ｔａｒｇｅｔ  ｃｅｌｌ  ＰＣＩＩＤ）である。
【０１９０】
ｅＮＢ２００−２は、第２のセル再選択インディケーションをｅＮＢ２００−１から受信する。ｅＮＢ２００−２は、第２のセル再選択インディケーションを受信することにより、ＵＥ情報（例えば、ＴＡ内ＩＤ）により識別されるＵＥ１００がＲＲＣ半接続状態をサポートしていると認識してもよい。
【０１９１】
ステップＳ３１１において、ｅＮＢ２００−２は、第２のセル再選択インディケーションに対する肯定応答（Ｃｅｌｌ  Ｒｅｓｅｌｅｃｔｉｏｎ  Ｉｎｄ．Ａｃｋ）をｅＮＢ２００−１へ送ってもよい。ステップＳ３１１の処理は、省略されてもよい。
【０１９２】
ｅＮＢ２００−２は、ＵＥ１００のコンテキスト情報の保持（記憶）を拒否する場合、コンテキスト情報の保持を拒否するための否定応答（ＮＡＣＫ）をｅＮＢ２００−１へ送ってもよい。ｅＮＢ２００−２は、例えば、第２実施形態に係る動作をサポートしていない場合（例えば、コンテキスト情報の利用をサポートしていない場合）、又は、ＵＥ１００のコンテキスト情報を記憶するための記憶容量が閾値未満である場合、否定応答をｅＮＢ２００−１へ送ってもよい。
【０１９３】
ｅＮＢ２００−１は、ｅＮＢ２００−２から否定応答を受信した場合、すなわち、ｅＮＢ２００−２がＵＥ１００のコンテキスト情報の保持（記憶）を拒否した場合、ＵＥ１００を再選択したセルへハンドオーバさせるためのハンドオーバ手順を実行してもよい。例えば、ｅＮＢ２００−１は、ＵＥ１００から無線信号の測定報告を受信している場合には、中止していたハンドオーバ手順を再開してもよい。ｅＮＢ２００−１は、ＵＥ１００から測定報告を受信していない場合、ＵＥ１００に測定報告を送信させるための情報をＵＥ１００へ送信してもよい。
【０１９４】
ｅＮＢ２００−１は、ハンドオーバ手順を実行するか否かを判断するためのタイマを有していてもよい。ｅＮＢ２００−１は、ＵＥ１００から第１の再選択インディケーションの受信に応じて、タイマを起動してもよい。ｅＮＢ２００−１は、タイマが満了する前であれば、ハンドオーバ手順を実行する。ｅＮＢ２００−１は、タイマが満了していた場合、ハンドオーバ手順を実行しない。
【０１９５】
ｅＮＢ２００−１は、共通シグナリング（例えば、ＳＩＢ）又は個別シグナリング（例えば、ＲＲＣ接続再設定（ＲＲＣ  Ｃｏｎｎｅｃｔｉｏｎ  Ｒｅｃｏｎｆｉｇｕｒａｔｉｏｎ））により、ＵＥ１００にタイマ（タイマ値）を（事前に）設定してもよい。ＵＥ１００は、第１の再選択インディケーションの送信に応じて、タイマを起動する。ＵＥ１００は、タイマが満了するまで、ＲＲＣアイドル状態へ移行しない。これにより、ＵＥ１００は、ハンドオーバ手順によるｅＮＢ２００からのシグナリングを受信できる。
【０１９６】
ｅＮＢ２００−２がＵＥ１００のコンテキスト情報を記憶しない場合には、ハンドオーバ手順が実行されることによって、ＵＥ１００が、ｅＮＢ２００−１と新たにＲＲＣ接続を確立する場合よりも、ＵＥ１００とｅＮＢ２００−２との間のシグナリングを低減できる。
【０１９７】
ステップＳ３１２において、ｅＮＢ２００−１は、ＵＥ１００がセルを変更したことを知らせるためにＭＭＥ３００へパス切り替え要求（Ｐａｔｈ  Ｓｗｉｃｈ  Ｒｅｑｕｅｓｔ）を送る。
【０１９８】
ＭＭＥ３００は、パス切替要求の受信に応じて、Ｓ１経路（下りリンクパス）を切り替えるために、Ｓ−ＧＷとやり取りを行う。これにより、ＵＥ１００のためのＳ１経路が、ｅＮＢ２００−１とＳ−ＧＷとの間の経路からｅＮＢ２００−２とＳ−ＧＷとの間の経路へ切り替えられる。
【０１９９】
ステップＳ３１３において、ＭＭＥ３００は、Ｓ１経路が切り替えられた場合、パス切り替え要求に対する応答（Ｐａｔｈ  Ｓｗｉｔｃｈ  Ａｃｋ）をｅＮＢ２００−１へ送る。
【０２００】
ステップＳ３１４において、ＵＥ１００において、通信すべきユーザデータが発生する。ＵＥ１００は、セル再選択を実行することにより、ｅＮＢ２００−２が管理するセルを選択している。
【０２０１】
ステップＳ３１５において、ＵＥ１００は、再選択したセルにおいてユーザデータの通信を新たに開始する場合に、コンテキスト情報の利用を促すための所定情報を再選択したセルへ送信する制御を実行する。すなわち、ＵＥ１００は、再選択したセル（ｅＮＢ２００−２）へ所定情報を含む接続要求を送信できる。
【０２０２】
所定情報は、フラグ情報を含んでもよい。所定情報は、ＵＥ１００がＲＲＣ接続状態へ移行するためのランダムアクセス手順における無線信号（ＲＡＣＨ：Ｒａｎｄｏｍ  Ａｃｃｅｓｓ  Ｃｈａｎｎｅｌ）に含まれてもよい。所定情報は、メッセージ１（Ｒａｎｄｏｍ  Ａｃｃｅｓｓ  Ｐｒｅａｍｂｌｅ）に含まれてもよいし、メッセージ３（Ｓｃｈｅｄｕｌｅｄ  Ｔｒａｎｓｍｉｓｓｉｏｎ）に含まれてもよい。所定情報は、ｅＮＢ２００−１からｅＮＢ２００−２へ送られるＵＥ情報（例えば、Ｏｒｉｇｉｎａｌ  ｃｅｌｌ  ＰＣＩＤ、Ｏｒｉｇｉｎａｌ  Ｃ−ＲＮＴＩなど）を含んでいてもよい。
【０２０３】
ＵＥ１００は、再選択したセルがコンテキスト情報を利用できる場合にのみ、所定情報を再選択したセルへ送信してもよい。例えば、ｅＮＢ２００−２は、自局が管理するセルにおいてコンテキスト情報を利用できるか否かを判断するための判断情報を、共通シグナリング（例えば、ＳＩＢ）により送信できる。ｅＮＢ２００−２は、自局が管理するセルにおいて、他のｅＮＢ２００（ｅＮＢ２００−１）からＲＲＣ半接続状態に移行したＵＥ１００のコンテキスト情報を受信し、当該ＵＥ１００のコンテキスト情報を記憶する動作をサポートしている場合に、コンテキスト情報を利用できることを示す判断情報を自セル内に送信できる。ｅＮＢ２００−２は、当該動作をサポートしていない場合には、コンテキスト情報を利用できないことを示す判断情報を自セル内に送信してもよい。ｅＮＢ２００−２は、当該動作をサポートしている場合であっても、ｅＮＢ２００−２のハードウェア負荷等により、記憶容量が閾値未満である場合、（一時的に）コンテキスト情報を利用できないことを示す判断情報を自セル内に送信してもよい。
【０２０４】
ｅＮＢ２００−２は、ＵＥ１００からの接続要求の受信に応じて、ｅＮＢ２００（セル）とのＲＲＣ接続を確立するための制御を開始する。ｅＮＢ２００−２は、接続要求に所定情報が含まれる場合、ＵＥ１００のコンテキスト情報を記憶しているか否かを確認する。例えば、ｅＮＢ２００−２は、ＵＥ情報に基づいて、ＵＥ１００のコンテキスト情報を特定する。ｅＮＢ２００−２は、ＵＥ１００のコンテキスト情報を記憶している場合には、コンテキスト情報に基づいて、ＵＥ１００のセルへの接続を制御する。すなわち、ｅＮＢ２００−２は、ＵＥ１００とのＲＲＣ接続を（再）確立するための制御（例えば、ＲＲＣ接続の復旧（ｒｅｓｕｍｅ）等）を実行する。一方、ｅＮＢ２００−２は、ＵＥ１００のコンテキスト情報を記憶していない場合には、通常通り、ＵＥ１００のセルへの接続を制御する。
【０２０５】
ｅＮＢ２００−２は、ＵＥ１００から受信したランダムアクセス手順における無線信号に所定情報（例えば、ＵＥ情報）が含まれることにより、当該ＵＥ１００が、ＲＲＣ半接続状態をサポートとしていると認識してもよい。
【０２０６】
ｅＮＢ２００−２は、ＵＥ１００から接続要求を受信した場合、新たにＵＥ１００へ識別子（Ｃ−ＲＮＴＩ）を割り当ててもよい。ｅＮＢ２００−２は、ＵＥ情報に含まれる同じＣ−ＲＮＴＩをＵＥ１００へ割り当ててもよい。
【０２０７】
ステップＳ３１６において、ｅＮＢ２００−２は、接続要求に対する応答をＵＥ１００へ送信してもよい。当該応答は、ランダムアクセス手順におけるメッセージ２又はメッセージ４であってもよい。或いは、ｅＮＢ２００−２は、ＵＥ１００とのＲＲＣ接続が確立された後に、接続要求に対する応答をＵＥ１００へ送信してもよい。ステップＳ３１６の処理は、省略されてもよい。
【０２０８】
ステップＳ３１７において、ＵＥ１００は、ＲＲＣ接続が確立されている状態において、ユーザデータの送信を開始する。ｅＮＢ２００−２は、ユーザデータを受信する。
【０２０９】
以上のように、ｅＮＢ２００−２は、ｅＮＢ２００−１においてＲＲＣアイドル状態又はＲＲＣ半接続状態であるＵＥ１００のコンテキスト情報をｅＮＢ２００−１から受信する制御を実行する。ｅＮＢ２００−２は、ＵＥ１００のコンテキスト情報に基づいて、ＵＥ１００のセルへの接続を制御する。このように、ｅＮＢ２００−２は、ＵＥ１００のコンテキスト情報に基づいて、ＵＥ１００のセルへの接続を制御するため、シグナリングを低減できる。
【０２１０】
このように、ＵＥ１００がＲＲＣ半接続状態に移行するケースにおいて、ｅＮＢベースのモビリティ（ハンドオーバ）ではなく、ＵＥベースのモビリティが実行される。これにより、ハンドオーバ手順で実行されるシグナリング（測定報告設定、ハンドオーバコマンドなど）を低減することができる。
【０２１１】
（第２実施形態に係る変更例）
次に、第２実施形態に係る変更例について図９を用いて説明する。図９は、第２実施形態に係る変更例を説明するためのシーケンス図である。本変更例では、ネットワーク側においてユーザデータが発生したケースについて説明する。
【０２１２】
ステップＳ４０１からＳ４１３は、ステップＳ３０１からＳ３１３に対応する。
【０２１３】
ステップＳ４１４において、ＭＭＥ３００は、ＵＥ１００のユーザデータを含むページングメッセージをｅＮＢ２００−２へ送信する。
【０２１４】
ステップＳ４１５において、ｅＮＢ２００−２においてＵＥ１００のユーザデータが発生する。
【０２１５】
ステップＳ４１６において、ｅＮＢ２００−２は、ＵＥ１００へページングメッセージを送信する。ＵＥ１００は、ｅＮＢ２００−２からページングメッセージを受信する。
【０２１６】
ステップＳ４１７において、ＵＥ１００は、ページングメッセージの受信に応じて、再選択したセル（ｅＮＢ２００−２）へ接続要求を送信する。Ｓ３１５と同様に、接続要求は、所定情報（Ｏｒｉｇｉｎａｌ  ｃｅｌｌ  ＰＣＩＤ、Ｏｒｉｇｉｎａｌ  Ｃ−ＲＮＴＩなど）を含むことができる。
【０２１７】
ステップＳ４１７からＳ４１９は、ステップＳ３１５からＳ３１７に対応する。
【０２１８】
［第３実施形態］
次に、第３実施形態について図１０を用いて説明する。図１０は、第３実施形態に係る動作を説明するためのシーケンス図である。上述で説明した内容と同じ部分は、適宜省略する。第３実施形態では、ＵＥ１００が、ｅＮＢ２００−１からの情報に基づいて、ＲＲＣ半接続状態へ移行する。
【０２１９】
図１０に示すように、ステップＳ５０１及びＳ５０２は、ステップＳ３０１及びＳ３０２に対応する。
【０２２０】
ステップＳ５０３において、ｅＮＢ２００−１は、ｅＮＢ２００−１がコンテキスト情報を破棄せずに保持することをＵＥ１００に知らせるためのコンテキスト保持情報（Ｃｏｎｔｅｘｔ  ｍａｉｎｔａｉｎ  ｉｎｆｏｒｍａｔｉｏｎ）をＵＥ１００へ送信する。ＵＥ１００は、コンテキスト保持情報をｅＮＢ２００−１から受信する。
【０２２１】
ｅＮＢ２００−１は、第１実施形態におけるタイマが満了した場合に、コンテキスト保持情報をＵＥ１００へ送信してもよい。
【０２２２】
ＵＥ１００は、コンテキスト保持情報に基づいて、ＲＲＣ半接続状態へ移行する制御を実行する。
【０２２３】
コンテキスト保持情報は、ＵＥ１００のコンテキスト情報を保持することを示すフラグ情報を含んでいてもよい。コンテキスト保持情報は、ＵＥ１００のコンテキスト情報を保持する期間を示すタイマ値を含んでいてもよい。
【０２２４】
ステップＳ５０４からＳ５１５は、ステップＳ３０６からＳ３１７に対応する。
【０２２５】
ＵＥ１００は、コンテキスト保持情報が当該タイマ値を含む場合、当該タイマ値が設定されたタイマが満了する前であれば、ステップＳ５０４以降の処理を実行可能である。ＵＥ１００は、タイマが満了した場合は、ＲＲＣアイドル状態へ移行して、既存の動作を実行する。
【０２２６】
ネットワーク（ｅＮＢ２００−２）においてデータが発生した場合、第２実施形態の変更例（図９参照）と同様の動作が実行されてもよい。
【０２２７】
［その他の実施形態］
上述した各実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０２２８】
上述した第１から第３実施形態では、ＵＥ１００がＲＲＣ半接続状態へ移行していたが、これに限られない。ＵＥ１００は、ＲＲＣ接続状態又はＲＲＣアイドル状態である場合であっても、上述及び下述の動作を実行できてもよい。
【０２２９】
例えば、第１及び第２実施形態において、タイマが満了した場合に、ＲＲＣ半接続状態へ移行することなく、ＲＲＣ接続状態であるＵＥ１００が上述の動作を実行してもよい。
【０２３０】
例えば、第３実施形態において、ＵＥ１００は、コンテキスト保持情報を含むＲＲＣ接続解放（ＲＲＣ  Ｃｏｎｎｅｃｔｉｏｎ  Ｒｅｌｅａｓｅ）メッセージを受信した場合、ＵＥ１００は、ＲＲＣ接続状態からＲＲＣアイドル状態へ移行した後に、第３実施形態の動作を実行してもよいし、ＲＲＣ接続状態において、第３実施形態の動作を実行してもよい。ＵＥ１００は、タイマが満了した場合に、ＲＲＣ接続状態からＲＲＣアイドル状態へ移行してもよい。
【０２３１】
上述した第１から第３実施形態では、ｅＮＢ２００がＵＥ１００のコンテキスト情報を保持していたが、これに限られない。例えば、ｅＮＢ２００−１は、コンテキスト情報の保持に加えて、Ｓ１接続を維持してもよい。或いは、ｅＮＢ２００は、コンテキスト情報を保持する代わりに、Ｓ１接続を維持してもよい。これにより、Ｓ１接続を新たに確立するためのシグナリングを低減することができる。
【０２３２】
上述した第１実施形態に係る変更例３では、ＵＥ１００は、第１タイマ及び第２タイマを有していたが、これに限られない。ＵＥ１００は、他のタイマを有していてもよい。例えば、ＵＥ１００は、ＲＲＣ半接続状態からＲＲＣアイドル状態へ移行するための第３タイマを有していてもよい。図１１は、第３のタイマを説明するためのフローチャートである。図１１に示すように、ＵＥ１００は、第３タイマを起動する（Ｓ６１０）。ＵＥ１００は、ユーザデータの通信が終了した場合に、第３タイマを起動してもよい。第３タイマのタイマ値は、第２タイマのタイマ値よりも長い値である。或いは、ＵＥ１００は、第２タイマが満了した場合に、第３タイマを起動してもよい。第３タイマの取り扱い（リセット、再起動など）は、第２タイマと同様であってもよい。
【０２３３】
ＵＥ１００は、第３タイマが満了したか否かを判断する（Ｓ６２０）。ＵＥ１００は、第３タイマが満了した場合に、ＲＲＣ半接続状態からＲＲＣアイドル状態へ移行する（Ｓ６３０）。ＵＥ１００は、第３タイマが満了していない場合、第３タイマが起動している間、ステップＳ６２０の処理を繰り返す。
【０２３４】
上述した第２実施形態において、ｅＮＢ２００−２は、ＵＥ１００からの接続要求に所定情報が含まれる場合、ＵＥ１００のコンテキスト情報を記憶しているか否かを確認したが、これに限られない。ｅＮＢ２００−２は、ＵＥ１００からの接続要求に所定情報が含まれない場合であっても、ＵＥ１００のコンテキスト情報を記憶しているか否かを確認してもよい。
【０２３５】
ｅＮＢ２００−２は、ＵＥ１００のコンテキスト情報を記憶している場合に、他のｅＮＢ２００へＵＥ１００のコンテキスト情報を転送してもよい。
【０２３６】
上述した第２及び第３実施形態において、ＵＥ１００は、セル再選択インディケーションをｅＮＢ２００−１へ送信しなくてもよい。これにより、シグナリングを低減できる。この場合、ＵＥ１００は、既存の動作に従って、再選択したセルへの接続要求を送信できる。
【０２３７】
上述した各実施形態において、ｅＮＢ２００は、ＵＥ１００にＲＲＣ半接続状態を設定してもよい。例えば、ＲＲＣ再接続設定（ＲＲＣ  Ｃｏｎｎｅｃｔｉｏｎ  Ｒｅｃｏｎｆｉｇｕｒａｔｉｏｎ）により、ＵＥ１００にＲＲＣ半接続状態が設定された場合、ＵＥ１００は、上述した各実施形態に係る少なくともいずれかの動作（各タイマの動作、ＲＲＣ半接続状態への移行、ＲＲＣ半接続状態からＲＲＣ接続状態への復帰、ＲＲＣ半接続状態からＲＲＣアイドル状態への移行など）を実行してもよい。例えば、ＲＲＣ接続解放（ＲＲＣ  Ｃｏｎｎｅｃｔｉｏｎ  Ｒｅｌｅａｓｅ）メッセージにより、ＵＥ１００にＲＲＣ半接続状態が設定された場合、ＵＥ１００は、上述した各実施形態に係る少なくともいずれかの動作を実行してもよい。
【０２３８】
上述した各実施形態では、ＵＥ１００は、ＵＥ能力情報（ＵＥ  Ｃａｐａｂｉｌｉｔｙ）によって、ＵＥ１００がＲＲＣ半接続状態のサポートをするか否かをｅＮＢ２００へ知らせていたが、これに限られない。例えば、ＵＥ１００は、ＲＲＣ半接続状態を希望することをｅＮＢ２００へ知らせることによって、ＵＥ１００がＲＲＣ半接続状態のサポートをすることをｅＮＢ２００へ知らせてもよい。ｅＮＢ２００は、ＲＲＣ半接続状態を希望することを示す通知をＵＥ１００から受信した場合に、当該通知への肯定応答（又はＲＲＣ半接続状態の設定を含むＲＲＣ接続再設定）をＵＥ１００へ送信してもよい。ＵＥ１００は、肯定応答（又はＲＲＣ接続再設定）を受信した場合に、上述した各実施形態に係る少なくともいずれかの動作を実行してもよい。
【０２３９】
上述した各実施形態において、ＵＥ１００は、ＵＥ１００とｅＮＢ２００との間のシグナリングに関する少なくとも一部の設定情報が、ＲＲＣ半接続状態においてディアクティベート（又は解放）されることによって、所定の無線信号の送信が制限又は免除されてもよい。ＵＥ１００は、明示的なｅＮＢ２００からのシグナリングではなく、タイマにより、ＵＥ１００とｅＮＢ２００との間のシグナリングに関する少なくとも一部の設定情報が、ディアクティベート（又は解放）されることによって、所定の無線信号の送信が制限又は免除されてもよい。ＵＥ１００は、半接続状態において、ｅＮＢ２００から設定された接続（ＲＲＣ接続など）に関する設定情報が維持されることによって、ＲＲＣアイドル状態からＲＲＣ接続状態へ移行する場合よりも、ＵＥ１００とｅＮＢ２００との間の少なくとも一部のシグナリングの送信が省略されてもよい。
【０２４０】
上述した各実施形態の少なくともいずれかにおいて、ｅＮＢ２００は、ＲＲＣ半接続状態であるＵＥ１００へ送信すべきユーザデータを保持する場合、ユーザデータの送信前に、ページングメッセージをＵＥ１００へ送信してもよい。ＵＥ１００は、ページングメッセージの受信に応じて、ＲＲＣ半接続状態からＲＲＣ接続状態へ移行してもよい。ＵＥ１００がＲＲＣ接続状態へ移行した後に、ｅＮＢ２００は、ＵＥ１００へ送信すべきユーザデータを送信してもよい。
【０２４１】
上述した各実施形態において、ＲＲＣ半接続状態は、インアクティブ（ｉｎａｃｔｉｖｅ）状態、又はライトコネクティッド（Ｌｉｇｈｔ  Ｃｏｎｎｅｃｔｅｄ）状態と称されてもよい。ＲＲＣ半接続状態は、ＲＲＣ接続が保留された状態（ＲＲＣ  Ｃｏｎｎｅｃｔｉｏｎ  Ｓｕｓｐｅｎｄｅｄ状態又はＵｓｅｒ  Ｐｌａｎｅ  ＣＩｏＴ  ＥＰＳ  ｏｐｔｉｍｉｚａｔｉｏｎ状態）であってもよい。
【０２４２】
上述において、ＵＥ１００がＲＲＣ半接続状態をサポートしていることを示す情報（Ａｌｗａｙｓ−ｃｏｎｎｅｃｔｅｄ  ｓｕｐｐｏｒｔ）は、ＵＥ１００がユーザプレーンＣＩｏＴ  ＥＰＳ最適化をサポートすることを示す情報（Ｕｓｅｒ  Ｐｌａｎｅ  ＣＩｏＴ  ＥＰＳ  ｏｐｔｉｍｉｚａｔｉｏｎ  ｓｕｐｐｏｒｔｅｄ）、ＵＥ１００がＲＲＣ接続中断をサポートすることを示す情報（ＲＲＣ  Ｃｏｎｎｅｃｔｉｏｎ  ｓｕｓｐｅｎｓｉｏｎ  ｓｕｐｐｏｒｔｅｄ）、ＵＥ１００がライト接続（Ｌｉｇｈｔ  Ｃｏｎｎｅｃｔｉｏｎ）をサポートすることを示す情報（Ｌｉｇｈｔ  Ｃｏｎｎｅｃｔｉｏｎ  ｓｕｐｐｏｒｔｅｄ）、及び、ＵＥ１００がインアクティブ状態（インアクティブモード）をサポートすることを示す情報（Ｉｎａｃｔｉｖｅ  ｍｏｄｅ  ｓｕｐｐｏｒｔｅｄ）の少なくともいずれかであってもよい。
【０２４３】
上述した各実施形態に係る動作は、適宜組み合わせて実行されてもよい。上述した各シーケンスにおいて、必ずしも全ての動作が必須の構成ではない。例えば、各シーケンスにおいて、一部の動作のみが実行されてもよい。
【０２４４】
上述した各実施形態では特に触れていないが、上述した各ノード（ＵＥ１００、ｅＮＢ２００など）のいずれかが行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０２４５】
ＵＥ１００及びｅＮＢ２００のいずれかが行う各処理を実行するためのプログラムを記憶するメモリ及びメモリに記憶されたプログラムを実行するプロセッサ）によって構成されるチップが提供されてもよい。
【０２４６】
上述した実施形態では、移動通信システムの一例としてＬＴＥシステムを説明したが、ＬＴＥシステムに限定されるものではなく、ＬＴＥシステム以外のシステムに本出願に係る内容を適用してもよい。
【０２４７】
日本国特許出願第２０１６−０１１９１６号（２０１６年１月２５日出願）の全内容が、参照により、本願明細書に組み込まれている。
【図１】
2017131046.tif 000003
【図２】
2017131046.tif 000004
【図３】
2017131046.tif 000005
【図４】
2017131046.tif 000006
【図５】
2017131046.tif 000007
【図６】
2017131046.tif 000008
【図７】
2017131046.tif 000009
【図８】
2017131046.tif 000010
【図９】
2017131046.tif 000011
【図１０】
2017131046.tif 000012
【図１１】
2017131046.tif 000013
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
通信方法であって、
ネットワークからＲａｄｉｏ  Ｒｅｓｏｕｒｃｅ  Ｃｏｎｔｒｏｌ（ＲＲＣ）接続状態である無線端末へ、前記無線端末のコンテキスト情報を前記無線端末に保持させるための第１の情報を送り、
前記コンテキスト情報は、前記無線端末に割り当てられたＣｅｌｌ−Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）を含み、
前記無線端末は、
前記第１の情報に基づいて、前記ＲＲＣ接続状態から移行した場合であっても、前記コンテキスト情報を破棄せずに保持し、
前記ＲＲＣ接続状態から移行した後、セル再選択を実行し、
再選択したセルにおいて前記コンテキスト情報を利用できるか否かを判断するための情報を前記再選択したセルから受信し、
前記再選択したセルにおいて前記コンテキスト情報を利用できる場合にのみ、前記コンテキスト情報の利用を促すための情報を前記再選択したセルへ送信する、通信方法。
【請求項２】
前記無線端末が、前記コンテキスト情報の利用を促すための所定情報を、ランダムアクセス手順におけるメッセージ３に含め、
前記無線端末から前記再選択したセルへ前記メッセージ３を送る請求項１に記載の通信方法。
【請求項３】
前記ネットワークを構成する基地局が、前記ネットワークとのＲＲＣ接続を確立する際のコンテキスト情報の利用をサポートしているか否かを示す情報を自セル内でシステム情報ブロック（ＳＩＢ：Ｓｙｓｔｅｍ  Ｉｎｆｏｒｍａｔｉｏｎ  Ｂｌｏｃｋ）により送信する請求項１に記載の通信方法。
【請求項４】
無線端末であって、
前記無線端末がＲａｄｉｏ  Ｒｅｓｏｕｒｃｅ  Ｃｏｎｔｒｏｌ（ＲＲＣ）接続状態にあるときに、ネットワークから、前記無線端末のコンテキスト情報を前記無線端末に保持させるための第１の情報を受信するレシーバと、
前記第１の情報に基づいて、前記ＲＲＣ接続状態から移行した場合であっても、前記コンテキスト情報を破棄せずに保持するコントローラと、を備え、
前記コンテキスト情報は、前記無線端末に割り当てられたＣｅｌｌ−Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）を含み、
前記コントローラは、
前記ＲＲＣ接続状態から移行した後、セル再選択を実行する処理と、
再選択したセルにおいて前記コンテキスト情報を利用できるか否かを判断するための情報を前記再選択したセルから受信する処理と、
前記再選択したセルにおいて前記コンテキスト情報を利用できる場合にのみ、前記コンテキスト情報の利用を促すための情報を前記再選択したセルへ送信する処理と、を行う無線端末。
【国際調査報告】
2017131046.tif 000014
2017131046.tif 000015
2017131046.tif 000016
2017131046.tif 000017